(57)【特許請求の範囲】
【請求項１】
無線通信の方法であって、
無線ネットワークの少なくとも１つの近隣セルの半固定の情報を取得することと、
前記少なくとも１つの近隣セルのおのおのにおける雑音レベルを推定することと、
前記少なくとも１つの近隣セルのおのおのについて、
少なくとも１つの干渉元のユーザ機器（ＵＥ）に起因する干渉を識別することと、ここで、前記干渉は、不連続送信（ＤＴＸ）検出を実行することにより識別され、
前記少なくとも１つの干渉元のＵＥに起因する前記干渉を除去することと、
を備える方法。
【請求項２】
前記少なくとも１つの近隣セルは、複数の近隣セルを備え、前記方法はさらに、
前記複数の近隣セルのうちのおのおののセルを、前記実行することと前記除去することとのための順にランク付けすることを備え、
前記ランク付けすることは、前記複数の近隣セルのおのおのの雑音レベルに基づく、請求項１に記載の方法。
【請求項３】
複数のＵＥは、前記少なくとも１つの近隣セルによってサービス提供されていると仮定することをさらに備え、
前記仮定された複数のＵＥは、前記少なくとも１つの近接セルが担当できる最大数のＵＥを備え、
前記ＤＴＸ検出を実行することは、第１の処理フェーズと第２の処理フェーズとを備え、
前記第１の処理フェーズは、
前記少なくとも１つの近隣セルにおいて前記仮定された複数のＵＥのおのおのについて、
前記少なくとも１つの近隣セルから受信した信号におけるアクノレッジメント（ＡＣＫ）信号を復号することと、
前記受信した信号から、チャネル品質インジケータ（ＣＱＩ）信号のログ尤度比（ＬＬＲ：log likelihood ratios）を推定することと、
のうちの少なくとも１つを実行することを備える、請求項１に記載の方法。
【請求項４】
前記第１の処理フェーズはさらに、
前記少なくとも１つの近隣セルにおけるＣＱＩ信号のおのおのについて、ＣＱＩ信号対雑音比（ＳＮＲ）を決定することと、
前記決定されたＣＱＩ  ＳＮＲを、しきいレベルと比較することと、
を備える、請求項３に記載の方法。
【請求項５】
前記最大数は、前記半固定の情報を用いて取得される、請求項３に記載の方法。
【請求項６】
前記ＡＣＫ信号を復号することは、予め定められたＡＣＫペイロード・サイズを仮定する、請求項３に記載の方法。
【請求項７】
前記第１の処理フェーズはさらに、
前記ＣＱＩ信号に関連付けられた、前記決定されたＣＱＩ  ＳＮＲが、前記しきいレベルを満足しない場合と、
前記仮定された複数のＵＥのＤＴＸ  ＵＥがＤＴＸにあることを、前記復号されたＡＣＫ信号が示す場合と、
のうちの１または複数の場合、前記仮定された複数のＵＥのＤＴＸ  ＵＥを干渉の除去の対象としないことを備える、請求項４に記載の方法。
【請求項８】
前記第１の処理フェーズはさらに、
前記仮定された複数のＵＥのうちの少なくとも１つの潜在的な干渉元のＵＥのＣＱＩ信号の１つに関連付けられた、前記決定されたＣＱＩ  ＳＮＲが、前記しきいレベルを満足する場合と、
前記復号されたＡＣＫ信号が、送信元のＵＥを示す場合と、
のうちの１つの場合、前記仮定された複数のＵＥのうちの少なくとも１つの潜在的な干渉元のＵＥを干渉の除去の対象とすることと、
前記少なくとも１つの潜在的な干渉元のＵＥのおのおのについて送信された信号を再構築することと、
を備える、請求項４に記載の方法。
【請求項９】
前記第２の処理フェーズは、
前記少なくとも１つの潜在的な干渉元のＵＥの残留信号のエネルギ蓄積と、前記受信した信号のエネルギ蓄積との間の関係を、しきいエネルギ・レベルを比較することと、ここで、前記残留信号は、前記受信した信号から差し引かれた、前記再構築された信号を備える、
前記比較された関係が、前記しきいエネルギ・レベルを満足しない場合、前記少なくとも１つの潜在的な干渉元のＵＥのうちの１つを干渉の除去の対象としないことと、
前記比較された関係が、前記しきいエネルギ・レベルを満足する場合、前記少なくとも１つの潜在的な干渉元のＵＥから、前記少なくとも１つの干渉元のＵＥを干渉の除去の対象とすることと、
を備える、請求項８に記載の方法。
【請求項１０】
無線通信のために構成された装置であって、
無線ネットワークの少なくとも１つの近隣セルの半固定の情報を取得する手段と、
前記少なくとも１つの近隣セルのおのおのにおける雑音レベルを推定する手段と、
前記少なくとも１つの近隣セルのおのおのについて、
少なくとも１つの干渉元のユーザ機器（ＵＥ）に起因する干渉を識別する手段と、ここで、前記干渉は、不連続送信（ＤＴＸ）検出を実行する手段により識別され、
前記少なくとも１つの干渉元のＵＥに起因する干渉を除去する手段と、
を備える装置。
【請求項１１】
前記少なくとも１つの近隣セルは、複数の近隣セルを備え、前記装置はさらに、
前記複数の近隣セルのうちのおのおののセルを、前記実行する手段と前記除去する手段とのための順にランク付けする手段を備え、
前記ランク付けする手段は、前記複数の近隣セルのおのおのの雑音レベルを用いる、請求項１０に記載の装置。
【請求項１２】
複数のＵＥは、前記少なくとも１つの近隣セルによってサービス提供されていると仮定する手段をさらに備え、
前記仮定された複数のＵＥは、前記少なくとも１つの近接セルが担当できる最大数のＵＥを備え、
前記ＤＴＸ検出を実行することは、第１の処理フェーズと第２の処理フェーズとを備え、
前記第１の処理フェーズは、
前記少なくとも１つの近隣セルにおいて前記仮定された複数のＵＥのおのおのについて、
前記少なくとも１つの近隣セルから受信した信号におけるアクノレッジメント（ＡＣＫ）信号を復号する手段と、
前記受信した信号から、チャネル品質インジケータ（ＣＱＩ）信号のログ尤度比（ＬＬＲ：log likelihood ratios）を推定する手段と
のうちの少なくとも１つを実行することを備える、請求項１０に記載の装置。
【請求項１３】
前記第１の処理フェーズはさらに、
前記少なくとも１つの近隣セルにおけるＣＱＩ信号のおのおのについて、ＣＱＩ信号対雑音比（ＳＮＲ）を決定する手段と、
前記決定されたＣＱＩ  ＳＮＲを、しきいレベルと比較する手段と
を備える、請求項１２に記載の装置。
【請求項１４】
前記最大数は、前記半固定の情報を用いて取得される、請求項１２に記載の装置。
【請求項１５】
前記ＡＣＫ信号を復号することは、予め定められたＡＣＫペイロード・サイズを仮定する、請求項１２に記載の装置。
【請求項１６】
記憶されたプログラム・コードを有するコンピュータ読取可能な記憶媒体であって、前記プログラム・コードは、
無線ネットワークの少なくとも１つの近隣セルの半固定の情報を取得するためのプログラム・コードと、
前記少なくとも１つの近隣セルのおのおのにおける雑音レベルを推定するためのプログラム・コードと、
少なくとも１つの干渉元のユーザ機器（ＵＥ）に起因する干渉を識別するためのプログラム・コードと、ここで、前記干渉は、不連続送信（ＤＴＸ）検出を実行するためのプログラム・コードにより識別され、
前記少なくとも１つの干渉元のＵＥに起因する干渉を除去するためのプログラム・コードと、ここで、前記実行するためのプログラム・コードと、前記除去するためのプログラム・コードとは、前記少なくとも１つの近隣セルのおのおのについて実行可能である、
を備える、コンピュータ読取可能な記憶媒体。
【請求項１７】
前記少なくとも１つの近隣セルは、複数の近隣セルを備え、
前記複数の近隣セルのうちのおのおののセルを、前記実行するためのプログラム・コードと前記除去するためプログラム・コードとのための順にランク付けするためのプログラム・コードをさらに記憶し、前記ランク付けするためのコードは、前記複数の近隣セルのおのおのの雑音レベルを用いる、請求項１６に記載のコンピュータ読取可能な記憶媒体。
【請求項１８】
複数のＵＥは、前記少なくとも１つの近隣セルによってサービス提供されていると仮定するためのプログラム・コードをさらに備え、
前記仮定された複数のＵＥは、前記少なくとも１つの近接セルが担当できる最大数のＵＥを備え、
前記ＤＴＸ検出を実行することは、第１の処理フェーズと第２の処理フェーズとを備え、前記第１の処理フェーズは、
前記少なくとも１つの近隣セルから受信した信号におけるアクノレッジメント（ＡＣＫ）信号を復号するためのプログラム・コードと、
前記受信した信号から、チャネル品質インジケータ（ＣＱＩ）信号のログ尤度比（ＬＬＲ：log likelihood ratios）を推定するためのプログラム・コードと、ここで、前記復号するためのプログラム・コードと、前記推定するためのプログラム・コードとは、前記少なくとも１つの近隣セルにおいて前記仮定された複数のＵＥのおのおのについて実行可能である、
をさらに記憶した、請求項１６に記載のコンピュータ読取可能な記憶媒体。
【請求項１９】
前記第１の処理フェーズはさらに、
前記少なくとも１つの近隣セルにおけるＣＱＩ信号のおのおのについて、ＣＱＩ信号対雑音比（ＳＮＲ）を決定するためのプログラム・コードと、
前記決定されたＣＱＩ  ＳＮＲを、しきいレベルと比較するためのプログラム・コードと、
をさらに記憶した、請求項１８に記載のコンピュータ読取可能な記憶媒体。
【請求項２０】
前記最大数は、前記半固定の情報を用いて取得される、請求項１８に記載のコンピュータ読取可能な記憶媒体。
【請求項２１】
前記ＡＣＫ信号を復号するためのプログラム・コードは、予め定められたＡＣＫペイロード・サイズを仮定する、請求項１８に記載のコンピュータ読取可能な記憶媒体。
【請求項２２】
無線通信のために構成された装置であって、
少なくとも１つのプロセッサと、
前記少なくとも１つのプロセッサに接続されたメモリとを備え、
前記少なくとも１つのプロセッサは、
無線ネットワークの少なくとも１つの近隣セルの半固定の情報を取得し、
前記少なくとも１つの近隣セルのおのおのにおける雑音レベルを推定し、
前記少なくとも１つの近隣セルのおのおのについて、
少なくとも１つの干渉元のユーザ機器（ＵＥ）に起因する干渉を識別し、ここで、前記干渉は、少なくとも１つの干渉元のユーザ機器（ＵＥ）を識別するために不連続送信（ＤＴＸ）検出を実行することにより識別され、
前記少なくとも１つの干渉元のＵＥに起因する干渉を除去する、
ように構成された、装置。
【請求項２３】
前記少なくとも１つの近隣セルは、複数の近隣セルを備え、前記少なくとも１つのプロセッサはさらに、
前記複数の近隣セルのうちのおのおののセルを、前記ＤＴＸ検出と前記干渉の除去のための順にランク付けするように構成され、前記少なくとも１つのプロセッサの構成は、前記複数の近隣セルのおのおのの雑音レベルに基づく、請求項２２に記載の装置。
【請求項２４】
前記少なくとも１つのプロセッサは、複数のＵＥは、前記少なくとも１つの近隣セルによってサービス提供されていると仮定するようにされに構成され、
前記仮定された複数のＵＥは、前記少なくとも１つの近接セルが担当できる最大数のＵＥを備え、
前記ＤＴＸ検出を実行するための前記少なくとも１つのプロセッサの構成は、第１および第２の処理フェーズを備え、前記第１の処理フェーズは、
前記少なくとも１つの近隣セルにおいて前記仮定された複数のＵＥのおのおのについて、
前記少なくとも１つのプロセッサが、
前記少なくとも１つの近隣セルから受信した信号におけるアクノレッジメント（ＡＣＫ）信号を復号することと、
前記受信した信号から、チャネル品質インジケータ（ＣＱＩ）信号のログ尤度比（ＬＬＲ：log likelihood ratios）を推定することと、
のうちの１つを実行する構成を備える、請求項２２に記載の装置。
【請求項２５】
前記第１の処理フェーズはさらに、
前記少なくとも１つの近隣セルにおけるＣＱＩ信号のおのおのについて、ＣＱＩ信号対雑音比（ＳＮＲ）を決定し、
前記決定されたＣＱＩ  ＳＮＲを、しきいレベルと比較する、
ように構成された前記少なくとも１つのプロセッサを備える、請求項２４に記載の装置。
【請求項２６】
前記最大数は、前記半固定の情報を用いて取得される、請求項２４に記載の装置。
【請求項２７】
前記ＡＣＫ信号を復号する前記少なくとも１つのプロセッサの構成は、予め定められたＡＣＫペイロード・サイズを仮定する、請求項２４に記載の装置。
【発明の詳細な説明】
【技術分野】
【０００１】
本願は、全体が本明細書において参照によって明確に組み込まれている２０１０年１月１１日出願の「無線ネットワーキングにおけるブラインド・アップリンク干渉除去」（BLIND UPLINK INTERFERENCE CANCELLATION IN WIRELESS NETWORKING）と題された米国仮出願６１／２９３，９５９号の利益を主張する。
【背景技術】
【０００２】
本開示の態様は、一般に、無線通信システムに関し、さらに詳しくは、無線ネットワーキングにおけるブラインド・アップリンク干渉除去に関する。
【０００３】
無線通信ネットワークは、例えば音声、ビデオ、パケット・データ、メッセージング、ブロードキャスト等のようなさまざまな通信サービスを提供するために広く配置されている。これら無線ネットワークは、利用可能なネットワーク・リソースを共有することにより、複数のユーザをサポートすることができる多元接続ネットワークでありうる。通常は多元接続ネットワークであるこのようなネットワークは、利用可能なネットワーク・リソースを共有することによって、複数のユーザのための通信をサポートする。このようなネットワークの１つの例は、ユニバーサル地上ラジオ・アクセス・ネットワーク（ＵＴＲＡＮ）である。ＵＴＲＡＮは、第３世代パートナシップ計画（３ＧＰＰ）によってサポートされている第３世代（３Ｇ）モバイル電話技術である、ユニバーサル・モバイル・テレコミュニケーション・システム（ＵＭＴＳ）の一部として定義されているラジオ・アクセス・ネットワーク（ＲＡＮ）である。このような多元接続ネットワーク・フォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局またはノードＢを含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉に遭遇しうる。アップリンクでは、ＵＥからの送信が、近隣の基地局と通信する別のＵＥのアップリンク送信からの、または、別の無線ＲＦ送信機からの干渉に遭遇しうる。この干渉は、ダウンリンクとアップリンクとの両方のパフォーマンスを低下させうる。
【０００６】
モバイル・ブロードバンド・アクセスに対する需要が増加し続けているので、長距離無線通信ネットワークにアクセスするＵＥの増加と、コミュニティに配置されている短距離無線システムの増加とともに、ネットワークが干渉および混雑する可能性が高まる。モバイル・ブロードバンド接続のための増加している需要を満たすためのみならず、モバイル通信とのユーザ経験の進化および向上のために、ＵＭＴＳ技術を進化させる研究および開発が続いている。
【発明の概要】
【０００７】
本開示は、無線ネットワークのためのブラインド干渉除去に関する。ここでは、主題とする基地局または除去装置が、近隣セルのうちの少なくとも１つについて半固定（semi-static）の情報を取得する。基地局は、近隣セルにおけるアップリンク送信から、基地局が取得したサンプルに基づいて、近隣セルのおのおのの雑音レベルを評価する。近隣セルは、相対的な雑音レベルに基づいて、干渉除去のためにランク付けされる。基地局は、その後、近隣セルにおける少なくとも１つの干渉元のユーザ機器（ＵＥ）を識別するために、不連続送信（ＤＴＸ）検出を実行し、これら識別された干渉元のＵＥに起因する干渉を除去する。ＤＴＸ検出および除去は、その後、ランク付けされた順序で、残りの近隣セルについて繰り返される。
【０００８】
本開示の１つの態様では、無線通信の方法は、無線ネットワークの少なくとも１つの近隣セルの半固定の情報を取得することと、近隣セルのおのおのにおける雑音レベルを推定することと、を含む。この方法はまた、おのおのの近隣セルについて、少なくとも１つの干渉元のＵＥを識別するためにＤＴＸ検出を実行することと、干渉元のＵＥに起因する干渉を除去することと、を含む。
【０００９】
本開示のさらなる態様では、無線通信のために構成された装置は、無線ネットワークの少なくとも１つの近隣セルの半固定の情報を取得する手段と、近隣セルのおのおのにおける雑音レベルを推定する手段とを含む。この装置はまた、近隣セルのおのおのについて、少なくとも１つの干渉元のＵＥを識別するためにＤＴＸ検出を実行する手段と、干渉元のＵＥに起因する干渉を除去する手段とを含む。
【００１０】
本開示のさらなる態様では、コンピュータ・プログラム製品は、プログラム・コードを記録したコンピュータ読取可能な媒体を有する。このプログラム・コードは、無線ネットワークの少なくとも１つの近隣セルの半固定の情報を取得するためのコードと、近隣セルのおのおのにおける雑音レベルを推定するためのコードとを含む。このコンピュータ・プログラム製品はまた、少なくとも１つの干渉元のＵＥを識別するためにＤＴＸ検出を実行するためのコードと、干渉元のＵＥに起因する干渉を除去するためのコードと含む。ここで、実行するためのコードと、除去するためのコードとは、近隣セルのおのおのについて実行可能である。
【００１１】
本開示のさらなる態様では、装置は、少なくとも１つのプロセッサと、このプロセッサに接続されたメモリとを含む。このプロセッサはさらに、無線ネットワークの少なくとも１つの近隣セルの半固定の情報を取得し、近隣セルのおのおのにおける雑音レベルを推定するように構成される。このプロセッサはさらに、近隣セルのおのおのについて、少なくとも１つの干渉元のＵＥを識別するためにＤＴＸ検出を実行し、干渉元のＵＥに起因する干渉を除去するように構成されている。
【図面の簡単な説明】
【００１２】
【図１】図１は、典型的なモバイル通信システムのブロック図を例示する。
【図２】図２は、モバイル通信システムにおける典型的なダウンリンク・フレーム構造のブロック図を例示する。
【図３】図３は、アップリンクＬＴＥ／−Ａ通信における典型的なフレーム構造のブロック図を例示する。
【図４】図４は、ヘテロジニアスなネットワークにおける典型的な時分割多重（ＴＤＭ）分配のブロック図を例示する。
【図５】図５は、本開示の１つの態様にしたがって構成された基地局／ｅＮＢとＵＥとの典型的な設計のブロック図を例示する。
【図６】図６は、ネットワーク環境内のアクセス・ポイント基地局の配置を可能にする典型的な通信システムを例示する。
【図７】図７は、典型的な干渉除去装置のブロック図を例示する。
【図８】図８は、典型的な基地局のブロック図を例示する。
【図９】図９は、本開示の態様にしたがう無線通信のために構成されたＵＥを備える典型的なシステムのブロック図を例示する。
【図１０】図１０は、本開示の１つの態様にしたがって構成された典型的なヘテロジニアスな通信ネットワークのブロック図を例示する。
【図１１】図１１は、典型的なホモジニアスな通信ネットワークのブロック図を例示する。
【図１２】図１２は、本開示の１つの態様を実施するように実行される典型的なブロックの機能ブロック図を例示する。
【図１３】図１３は、ＤＴＸ検出処理の第１のフェーズの典型的な実施の機能ブロック図を例示する。
【図１４】図１４は、ＤＴＸ検出処理の第２のフェーズの典型的な実施の機能ブロック図を例示する。
【発明を実施するための形態】
【００１３】
添付図面とともに以下に説明する詳細説明は、さまざまな構成の説明として意図されており、本明細書に記載された概念が実現される唯一の構成を示すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１４】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ（登録商標））、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ＣＤＭＡ２０００およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、上述された無線ネットワークおよびラジオ・アクセス技術のためにも使用されうる。明確化のために、これら技術のある態様は、以下において、ＬＴＥまたはＬＴＥ−Ａ（代わりにこれらはともに“ＬＴＥ／−Ａ”として称される）について記載されており、このようなＬＴＥ−Ａ用語が以下の説明の多くで使用される。
【００１５】
図１は、ＬＴＥ−Ａネットワークでありうる、通信のための無線ネットワーク１００を示す。無線ネットワーク１００は、多くのイボルブド・ノードＢ（ｅＮＢ）１１０およびその他のネットワーク・エンティティを含む。ｅＮＢは、ＵＥ（例えば、基地局、ノードＢ、アクセス・ポイント等）と通信する局でありうる。おのおののｅＮＢ１１０は、特定の地理的エリアのために通信有効通信範囲を提供する。用語「セル」は、この有効通信範囲エリアにサービス提供しているｅＮＢおよび／またはｅＮＢサブシステムのこの特定の地理的有効通信範囲エリアを称しうる。
【００１６】
ｅＮＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルも、一般に、比較的小さな地理的エリア（例えば、住宅）をカバーし、フェムト・セルに関連付けられたＵＥ（例えば、クローズド加入者グループ（ＣＳＧ）におけるＵＥ、住居内のユーザのためのＵＥ等）へ、制限されたアクセスを提供することも、しないこともありうる。マクロ・セルのためのｅＮＢは、マクロｅＮＢと称されうる。ピコ・セルのためのｅＮＢは、ピコｅＮＢと称されうる。そして、フェムト・セルのためのｅＮＢは、フェムトｅＮＢまたはホームｅＮＢと称されうる。図１では、ｅＮＢ１１０ａ，１１０ｂ，１１０ｃは、マクロ・セル１０２ａ，１０２ｂ，１０２ｃそれぞれのためのマクロｅＮＢでありうる。ｅＮＢ１１０ｘは、ピコ・セル１０２ｘのためのピコｅＮＢでありうる。そして、ｅＮＢ１１０ｙ，１１０ｚは、それぞれフェムト・セル１０２ｙ，１０２ｚのためのフェムトｅＮＢである。ｅＮＢは、１または複数（例えば、２つ、３つ、４つ等）のセルをサポートしうる。
【００１７】
無線ネットワーク１００は、同期動作または非同期動作をサポートしうる。同期動作の場合、ｅＮＢは、同じフレーム・タイミングを有し、異なるｅＮＢからの送信は、時間的にほぼ揃えられうる。非同期動作の場合、ｅＮＢは、異なるフレーム・タイミングを有し、異なるｅＮＢからの送信は、時間的に揃えられない場合がある。ここに記載された技術は、同期動作のために使用されうる。
【００１８】
ネットワーク・コントローラ１３０は、ｅＮＢのセットに接続しており、これらｅＮＢのための調整および制御を提供しうる。ネットワーク・コントローラ１３０は、バックホール１３２を介してｅＮＢ１１０と通信しうる。ｅＮＢ１１０はまた、例えば、ダイレクトに、または、無線バックホール１３４または有線バックホール１３６を介して非ダイレクトに、互いに通信しうる。
【００１９】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。ＵＥは、マクロｅＮＢ、ピコｅＮＢ、フェムトｅＮＢ、リレー等と通信することができうる。図１では、２つの矢印を持つ実線が、ＵＥと、ダウンリンクおよび／またはアップリンクでＵＥにサービス提供するように指定されたｅＮＢであるサービス提供ｅＮＢとの間の所望の送信を示す。２つの矢印を持つ破線は、ＵＥとｅＮＢとの間の干渉送信を示す。
【００２０】
ＬＴＥ／−Ａは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，２０メガヘルツ（ＭＨｚ）の対応するシステム帯域幅についてそれぞれ１２８，２５６，５１２，１０２４，２０４８にそれぞれ等しい。システム帯域幅はまた、サブ帯域へ分割されうる。例えば、サブ帯域は、１．０８ＭＨｚをカバーし、１．２５，２．５，５，１０，２０ＭＨｚの対応するシステム帯域幅についてそれぞれ１，２，４，８，１６のサブ帯域が存在しうる。
【００２１】
図２は、ＬＴＥ／−Ａにおいて使用されるダウンリンク・フレーム構造を示す。ダウンリンクのこの送信タイムラインは、ラジオ・フレームの単位に分割されうる。おのおののラジオ・フレームは、（例えば１０ミリ秒（ｍｓ）のような）予め定めた持続時間を有し、０乃至９のインデクスを持つ１０個のサブフレームへ分割されうる。サブフレームはそれぞれ２つのスロットを含みうる。ラジオ・フレームはそれぞれ、０乃至１９のインデクスを備えた２０のスロットを含みうる。おのおののスロットは、例えば、（図２に示すように）通常のサイクリック・プレフィクスの場合、７つのシンボル期間、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。リソース・ブロックはそれぞれ１つのスロットにおいてＮ個のサブキャリア（例えば、１２のサブキャリア）をカバーしうる。
【００２２】
ＬＴＥ／−Ａにおいて、ｅＮＢは、ｅＮＢにおける各セルについて、一次同期信号（ＰＳＳ）と二次同期信号（ＳＳＳ）とを送信しうる。図２に示すように、一次同期信号および二次同期信号は、通常のサイクリック・プレフィクスを持つ各ラジオ・フレームのサブフレーム０，５のおのおのにおいて、シンボル期間６およびシンボル期間５でそれぞれ送信されうる。これら同期信号は、ＵＥによって、セル検出および獲得のために使用されうる。ｅＮＢはまた、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２３】
図２で見られるように、ｅＮＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝送しうる。ここで、Ｍは、１、２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅＮＢは、おのおののサブフレームの最初のＭ個のシンボル期間において、物理ＨＡＲＱインジケータ・チャネル（ＰＨＩＣＨ）と物理ダウンリンク制御チャネル（ＰＤＣＣＨ）とを送信しうる。ＰＤＣＣＨとＰＨＩＣＨはまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのリソース割当に関する情報と、ダウンリンク・チャネルのための制御情報とを伝送しうる。ｅＮＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２４】
ＬＴＥ−Ａは、各サブフレームの制御セクション、すなわち、各サブフレームの第１のシンボル期間においてＰＨＩＣＨおよびＰＤＣＣＨを送信することに加えて、各サブフレームのデータ部分で、これら制御重視のチャネルをも送信しうる。図２に示すように、例えば中継−物理ダウンリンク制御チャネル（Ｒ−ＰＤＣＣＨ）および中継−物理ＨＡＲＱインジケータ・チャネル（Ｒ−ＰＨＩＣＨ）のように、データ領域を利用するこれら新たな制御設計は、各サブフレームの後半のシンボル期間に含まれる。Ｒ−ＰＤＣＣＨは、半デュプレクス中継動作のコンテキストでもともと開発されたデータ領域を利用する、新たなタイプの制御チャネルである。１つのサブフレームにおける最初のいくつかの制御シンボルを占有するレガシーＰＤＣＣＨおよびＰＨＩＣＨとは異なり、Ｒ−ＰＤＣＣＨおよびＲ−ＰＨＩＣＨは、もともとデータ領域として指定されたリソース要素（ＲＥ）にマップされる。新たな制御チャネルは、周波数分割多重（ＦＤＭ）、時分割多重（ＴＤＭ）、あるいはＦＤＭとＴＤＭとの組み合わせの形態をとりうる。
【００２５】
ｅＮＢは、ｅＮＢによって使用されるシステム帯域幅の中心１．０８ＭＨｚでＰＳＳ、ＳＳＳ、およびＰＢＣＨを送信しうる。ｅＮＢは、これらのチャネルが送信される各シンボル期間におけるシステム帯域幅全体でＰＣＦＩＣＨおよびＰＨＩＣＨを送信しうる。ｅＮＢは、システム帯域幅のある部分において、ＵＥのグループにＰＤＣＣＨを送信しうる。ｅＮＢは、システム帯域幅の特定の部分で、特定のＵＥに、ＰＤＳＣＨを送信しうる。ｅＮＢは、ＰＳＳ、ＳＳＳ、ＰＢＣＨ、ＰＣＦＩＣＨ、およびＰＨＩＣＨを、ブロードキャスト方式で、すべてのＵＥへ送信しうる。そして、ＰＤＣＣＨを、ユニキャスト方式で、特定のＵＥへ送信しうる。さらに、ＰＤＳＣＨを、ユニキャスト方式で、特定のＵＥへ送信しうる。
【００２６】
各シンボル期間において、多くのリソース要素が利用可能でありうる。おのおののリソース要素は、１つのシンボル期間において１つのサブキャリアをカバーし、実数値または複素数値である１つの変調シンボルを送信するために使用されうる。各シンボル期間において、基準信号のために使用されないリソース要素は、リソース要素グループ（ＲＥＧ）へ構成されうる。おのおののＲＥＧは、１つのシンボル期間内に、４つのリソース要素を含みうる。ＰＣＦＩＣＨは、シンボル期間０において、４つのＲＥＧを占有しうる。これらは、周波数にわたってほぼ等間隔に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３２，または６４のＲＥＧを占有しうる。これらは、利用可能なＲＥＧから選択されうる。複数のＲＥＧのある組み合わせのみが、ＰＤＣＣＨのために許可されうる。
【００２７】
ＵＥは、ＰＨＩＣＨとＰＣＦＩＣＨとのために使用される特定のＲＥＧを認識しうる。ＵＥは、ＰＤＣＣＨを求めて、ＲＥＧの異なる組み合わせを探索しうる。探索する組み合わせの数は、一般に、ＰＤＣＣＨのために許可された組み合わせ数よりも少ない。ｅＮＢは、ＵＥが探索する組み合わせのうちの何れかのＵＥにＰＤＣＣＨを送信しうる。
【００２８】
ＵＥは、複数のｅＮＢの有効通信範囲内に存在しうる。これらのｅＮＢのうちの１つは、ＵＥにサービス提供するために選択されうる。サービス提供するｅＮＢは、例えば受信電力、経路喪失、信号対雑音比（ＳＮＲ）等のようなさまざまな基準に基づいて選択されうる。
【００２９】
図３は、アップリンク・ロング・ターム・イボリューション（ＬＴＥ／−Ａ）通信における典型的なフレーム構造３００を例示する。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥに、データ・セクションにおける連続するサブキャリアのすべてが割り当てられるようになる。
【００３０】
ＵＥは、ｅＮＢへ制御情報を送信するために、制御セクションにおいてリソース・ブロックを割り当てられうる。ＵＥはまた、ｅノードＢへデータを送信するために、データ・セクションにおいてリソース・ブロックを割り当てられうる。ＵＥは、制御セクションにおいて割り当てられたリソース・ブロック３１０ａ，３１０ｂで、物理アップリンク制御チャネル（ＰＵＣＣＨ）によって制御情報を送信しうる。ＵＥは、データ・セクションにおいて割り当てられたリソース・ブロック３２０ａ，３２０ｂで、物理アップリンク共有チャネル（ＰＵＳＣＨ）によって、データのみ、または、データと制御情報との両方を送信しうる。アップリンク送信は、サブフレームからなる両スロットにおよび、図３に示すように、周波数を越えてホップしうる。
【００３１】
ＰＳＳ、ＳＳＳ、ＣＲＳ、ＰＢＣＨ、ＰＵＣＣＨ、ＰＵＳＣＨ、および、ＬＴＥ／−Ａで使用されるその他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記述されている。
【００３２】
図１に示すように、無線ネットワーク１００は、単位エリア毎のシステムのスペクトル効率を改善するために、ｅＮＢ１００の多様なセット（すなわち、マクロｅＮＢ、ピコｅＮＢ、フェムトｅＮＢ、およびリレー）を使用する。無線ネットワーク１００は、スペクトル有効通信範囲のため、このように異なるｅＮＢを使用するので、ヘテロジニアスなネットワークとも称されうる。マクロｅＮＢ１１０ａ−ｃは、通常、注意深く計画され、無線ネットワーク１００のプロバイダによって配置される。マクロｅＮＢ１１０ａ−ｃは、一般に、高い電力レベル（例えば、５Ｗ−４０Ｗ）で送信する。一般に、実質的に低い電力レベル（例えば、１００ｍＷ−２Ｗ）で送信するピコｅＮＢ１１０ｘおよび中継局１１０ｒは、マクロｅＮＢ１１０ａ−ｃによって提供される有効通信範囲エリアにおける有効通信範囲ホールをなくすために、および、ホット・スポットにおける容量を改善するために、比較的無計画な方式で配置されうる。それでも、一般に、無線ネットワーク１００とは独立して配置されるフェムトｅＮＢ１１０ｙ−ｚは、リソースの調整および干渉管理の調整を実行するために、アドミニストレータ（単数または複数）によって許可されている場合には、無線ネットワーク１００への潜在的なアクセス・ポイントであるか、または、少なくとも、無線ネットワーク１００の別のｅＮＢ１１０と通信しうるアクティブかつアウェア（aware）なｅＮＢであるかの何れかとして、無線ネットワーク１００の有効通信範囲エリアに組み込まれうる。また、フェムトｅＮＢ１１０ｙ−ｚは、一般に、マクロｅＮＢ１１０ａ−ｃよりも実質的に低い電力レベル（例えば、１００ｍＷ−２Ｗ）で送信する。
【００３３】
例えば無線ネットワーク１００のようなヘテロジニアスなネットワークの動作では、おのおののＵＥは通常、より良好な信号品質を持つｅＮＢ１１０によってサービス提供される一方、別のｅＮＢ１１０から受信した望まれない信号は、干渉として取り扱われる。このような動作原理は、最適とはいえないパフォーマンスをもたらす一方、ｅＮＢ１１０間における高度なリソース調整、より良好なサーバ選択戦略、および、効率的な干渉管理のためのより進化した技術を用いることによって、無線ネットワーク１００において、ネットワーク・パフォーマンスの向上が達成される。
【００３４】
例えばピコｅＮＢ１１０ｘのようなピコｅＮＢは、例えばマクロｅＮＢ１１０ａ−ｃのようなマクロｅＮＢと比較された場合、実質的に低い送信電力によって特徴付けられる。また、ピコｅＮＢは、通常、アド・ホック方式では、例えば無線ネットワーク１００のようなネットワークの周囲に配置されるだろう。この無計画な配置によって、例えば無線ネットワーク１００のように、ピコｅＮＢが配置された無線ネットワークは、
低い信号対干渉条件を持つ広いエリアを持つことが期待されうる。これは、有効通信範囲エリアまたはセルの端部におけるＵＥ（「セル−エッジ」ＵＥ）のためのよりチャレンジングなＲＦ環境にふさわしい。さらに、マクロｅＮＢ１１０ａ−ｃとピコｅＮＢ１１０ｘとの間の送信電力レベルの不均衡が潜在的に大きい（例えば、約２０ｄＢ）ことは、混合配置において、ピコｅＮＢ１１０ｘのダウンリンク有効通信範囲エリアが、マクロｅＮＢ１１０ａ−ｃのものよりも格段に狭くなるであろうことを示唆している。
【００３５】
しかしながら、アップリンクの場合では、アップリンク信号の信号強度はＵＥによって管理されるので、何れかのタイプのｅＮＢ１１０によって受信された場合、類似するようにあるであろう。大まかに同じまたは類似しているｅＮＢ１１０のアップリンク有効通信範囲エリアでは、アップリンク・ハンドオフ境界は、チャネル・ゲインに基づいて決定されるだろう。これは、ダウンリンク・ハンドオーバ境界とアップリンク・ハンドオーバ境界との間のミスマッチをもたらしうる。さらなるネットワーク順応がなければ、このミスマッチは、ダウンリンクとアップリンクとのハンドオーバ境界がより近く一致しているマクロｅＮＢのみのホモジニアスなネットワークにおけるよりも、無線ネットワーク１００において、サーバ選択またはＵＥのｅＮＢへの関連付けをより困難にするであろう。
【００３６】
サーバ選択が、ＬＴＥリリース８規格で提供されているようなダウンリンク受信信号強度に支配的に基づくのであれば、例えば無線ネットワーク１００のようなヘテロジニアスなネットワークの混合ｅＮＢ配置の有用性が大きく損なわれるだろう。これは、例えばマクロｅＮＢ１１０ａ−ｃのような高電力マクロｅＮＢの有効通信範囲エリアが広くなると、例えばピコｅＮＢ１１０ｘのようなピコｅＮＢを用いてセル有効通信範囲を分割する利点を制限するからである。なぜなら、マクロｅＮＢ１１０ａ−ｃのダウンリンク受信信号強度が高くなると、利用可能なＵＥのすべてに対して魅力的である一方、ピコｅＮＢ１１０ｘは、ダウンリンク送信電力がはるかに低いことによって、いずれのＵＥにもサービス提供しないからである。さらに、マクロｅＮＢ１１０ａ−ｃは、これらのＵＥに対して効率的にサービス提供するために、十分なリソースを持たない可能性が高くなるであろう。したがって、無線ネットワーク１００は、ピコｅＮＢ１１０ｘの有効通信範囲エリアを拡大することによって、マクロｅＮＢ１１０ａ−ｃとピコｅＮＢ１１０ｘとの間の負荷を積極的に平準化するように試みるであろう。この概念は範囲拡張と称される。
【００３７】
無線ネットワーク１００は、サーバ選択が決定される方式を変更することによって、この範囲拡張を達成する。サーバ選択を、ダウンリンク受信信号強度に基づかせる代わりに、選択は、ダウンリンク信号の品質に、より基づく。１つのこのような品質ベースの決定では、サーバ選択は、ＵＥに対して最小の経路喪失しかもたらさないｅＮＢを決定することに基づきうる。さらに、無線ネットワーク１００は、マクロｅＮＢ１１０ａ−ｃと、ピコｅＮＢ１１０ｘとの間で固定されたリソース分配を等しく提供する。しかしながら、このようなアクティブな負荷平準化をもってしても、マクロｅＮＢ１１０ａ−ｃからのダウンリンク干渉は、例えばピコｅＮＢ１１０ｘのようなピコｅＮＢによってサービス提供されるＵＥのために緩和されねばならない。これは、ＵＥにおける干渉除去、ｅＮＢ１１０間のリソース調整等を含むさまざまな方法によって達成されうる。
【００３８】
例えば無線ネットワーク１００のように、範囲拡張を備えたヘテロジニアスなネットワークでは、例えばマクロｅＮＢ１１０ａ−ｃのようなより高電力のｅＮＢから送信されたより強いダウンリンク信号の存在下において、例えばピコｅＮＢ１１０ｘのような低電力のｅＮＢからＵＥがサービスを得るために、ピコｅＮＢ１１０ｘは、マクロｅＮＢ１１０ａ−ｃのうちの支配的な干渉元との制御チャネルおよびデータ・チャネルの干渉の調整を行う。干渉を管理するために、干渉調整のための別の多くの技術が適用されうる。例えば、同一チャネル配置におけるセルからの干渉を低減するために、セル間干渉調整（ＩＣＩＣ）が使用されうる。１つのＩＣＩＣメカニズムは、適応性のあるリソース分配である。適応性のあるリソース分配は、一定のｅＮＢにサブフレームを割り当てる。第１のｅＮＢに割り当てられたサブフレームでは、近隣のｅＮＢは送信しない。したがって、第１のｅＮＢによってサービス提供されるＵＥによってもたらされる干渉が低減される。サブフレーム割当は、アップリンク・チャネルとダウンリンク・チャネルとの両方で実行されうる。
【００３９】
例えば、サブフレームは、３つのクラスのサブフレーム、すなわち、保護サブフレーム（Ｕサブフレーム）、禁止サブフレーム（Ｎサブフレーム）、および共通サブフレーム（Ｃサブフレーム）間で割り当てられうる。保護サブフレームは、第１のｅＮＢによる限定的な使用のために第１のｅＮＢに割り当てられる。保護サブフレームはまた、近隣のｅＮＢからの干渉が無いことに基づいて、「クリーンな」サブフレームとも称される。禁止サブフレームは、近隣のｅＮＢに割り当てられたサブフレームであり、第１のｅＮＢは、禁止サブフレームの間、データを送信することが禁じられる。例えば、第１のｅＮＢの禁止サブフレームは、第２の干渉元のｅＮＢの保護サブフレームに対応しうる。したがって、第１のｅＮＢは、第１のｅＮＢの保護サブフレームの間にデータを送信している唯一のｅＮＢである。共通サブフレームは、複数のｅＮＢによってデータ送信のため使用されうる。共通サブフレームはまた、別のｅＮＢからの干渉の可能性があることから、「クリーンではない」サブフレームとも称される。
【００４０】
期間毎に、少なくとも１つの保護サブフレームが静的に割り当てられる。ある場合には、１つの保護サブフレームのみが静的に割り当てられる。例えば、期間が８ミリ秒である場合、１つの保護サブフレームが、毎８ミリ秒中に、ｅＮＢに静的に割り当てられうる。他のサブフレームは動的に割り当てられうる。
【００４１】
適応性のあるリソース分配情報（ＡＲＰＩ：Adaptive resource partitioning information）によって、非静的に割り当てられたサブフレームが、動的に割り当てられるようになる。保護サブフレーム、禁止サブフレーム、または共通サブフレーム（それぞれＡＵサブフレーム、ＡＮサブフレーム、ＡＣサブフレーム）の何れかが、動的に割り当てられうる。このような動的な割り当ては、例えば１００ミリ秒毎またはそれ未満のように、迅速に変化しうる。
【００４２】
ヘテロジニアスなネットワークは、異なる電力クラスのｅＮＢを有しうる。例えば、マクロｅＮＢ、ピコｅＮＢ、およびフェムトｅＮＢのように、電力クラスが減少する３つの電力クラスが定義されうる。マクロｅＮＢ、ピコｅＮＢ、およびフェムトｅＮＢが同一チャネルに配置されている場合、マクロｅＮＢ（攻撃ｅＮＢ）の電力スペクトル密度（ＰＳＤ）は、ピコｅＮＢおよびフェムトｅＮＢ（犠牲ｅＮＢ）のＰＳＤよりも大きく、ピコｅＮＢおよびフェムトｅＮＢとの間の多大な干渉をもたらす。保護サブフレームは、ピコｅＮＢおよびフェムトｅＮＢとの干渉を低減または最小化するために使用されうる。すなわち、保護サブフレームは、犠牲ｅＮＢが、攻撃ｅＮＢにおける禁止サブフレームに対応するようにスケジュールされうる。
【００４３】
図４は、本開示の態様にしたがうヘテロジニアスなネットワークにおける時分割多重（ＴＤＭ）分配を例示するブロック図である。ブロックの第１行は、フェムトｅＮＢのためのサブフレーム割当を例示しており、ブロックの第２行は、マクロｅＮＢのためのサブフレーム割当を例示している。ｅＮＢのおのおのは、静的な保護サブフレームを有する。この間、別のｅＮＢは、静的な禁止サブフレームを有する。例えば、フェムトｅＮＢは、サブフレーム０の禁止サブフレーム（Ｎサブフレーム）に対応する、サブフレーム０の保護サブフレーム（Ｕサブフレーム）を有する。同様に、マクロｅＮＢは、サブフレーム７の禁止されたサブフレーム（Ｎサブフレーム）に対応する、サブフレーム７の保護サブフレーム（Ｕサブフレーム）を有する。サブフレーム１−６は、保護サブフレーム（ＡＵ）、禁止サブフレーム（ＡＮ）、および共通サブフレーム（ＡＣ）の何れかとして動的に割り当てられる。サブフレーム５，６において共通サブフレーム（ＡＣ）が動的に割り当てられている間、フェムトｅＮＢとマクロｅＮＢとの両方がデータを送信しうる。
【００４４】
攻撃ｅＮＢは、送信することを禁止されているので、（例えばＵ／ＡＵサブフレームのような）保護サブフレームは、干渉が低減され、高いチャネル品質を有している。（例えば、Ｎ／ＡＮサブフレームのような）禁止サブフレームは、データ送信を有さないので、犠牲ｅＮＢは、低い干渉レベルでデータを送信できるようになる。（例えば、Ｃ／ＡＣサブフレームのような）共通サブフレームは、データを送信している近隣ｅＮＢの数に依存するチャネル品質を有する。例えば、近隣ｅＮＢが、共通サブフレームでデータを送信している場合、共通サブフレームのチャネル品質は、保護フレームのものよりも低くなりうる。共通サブフレームのチャンネル品質はまた、攻撃ｅＮＢによって強く影響を受けた拡張境界エリア（ＥＢＡ）に対して低くなりうる。ＥＢＡ  ＵＥは、第１のｅＮＢに属するのみならず、第２のｅＮＢの有効通信範囲エリア内に配置されうる。例えば、フェムトｅＮＢ有効通信範囲の範囲限界近傍のマクロｅＮＢと通信するＵＥは、ＥＢＡ  ＵＥである。
【００４５】
ＬＴＥ／−Ａにおいて適用されうる別の干渉管理スキームの例は、緩慢な適応性干渉管理である。干渉管理に対してこのアプローチを使用することによって、リソースは、ネゴシエートされ、スケジューリング間隔よりもはるかに大きな時間スケールにわたって割り当てられる。このスキームの目的は、時間リソースまたは周波数リソースのすべてにわたって、ネットワークの全体有用性を最大化する、送信しているｅＮＢとＵＥとのすべての送信電力の組み合わせを見つけることである。「有用性」は、ユーザ・データ・レート、サービス品質（ＱｏＳ）フローの遅れ、および公平メトリックに応じて定義されうる。このようなアルゴリズムは、最適化を解決するために使用される情報のすべてへのアクセスを有し、かつ、例えばネットワーク・コントローラ１３０（図１）のような送信エンティティのすべてにわたる制御を有する、中央エンティティによって計算されうる。この中央のエンティティは、必ずしも現実的でも、また、望ましくもないかもしれない。したがって、代替態様では、ノードのあるセットからのチャネル情報に基づいて、リソース用途を決定する、分配されたアルゴリズムが使用されうる。したがって、緩慢な適応性干渉アルゴリズムは、中央エンティティを用いて配置されるか、あるいは、ネットワーク内のノード／エンティティのさまざまなセットにわたってアルゴリズムを分配することによって配置されうる。
【００４６】
例えば無線ネットワーク１００のようなヘテロジニアスなネットワーク配置では、ＵＥは、１または複数の干渉元のｅＮＢから高い干渉を観察しうる支配的な干渉シナリオで動作しうる。支配的な干渉シナリオは、制限された関連付けによって生じうる。例えば、図１では、ＵＥ１２０ｙが、フェムトｅＮＢ１１０ｙの近くにあり、ｅＮＢ１１０ｙに関し高い受信電力を有しうる。しかしながら、ＵＥ１２０ｙは、制約された関連性によって、フェムトｅＮＢ１１０ｙにアクセスすることができず、（図１に示すような）マクロｅＮＢ１１０ｃ、または、同様に低い受信電力を持つ（図１に示されていない）フェムトｅＮＢ１１０ｚへ接続しうる。ＵＥ１２０ｙは、その後、ダウンリンクで、フェムトｅＮＢ１１０ｙからの高い干渉を観察し、アップリンクで、ｅＮＢ１１０ｙへの高い干渉を引き起こしうる。ｅＮＢ１１０ｃおよびフェムトｅＮＢ１１０ｙは、調整された干渉管理を用いて、リソースをネゴシエートするために、バックホール１３４を介して通信しうる。ネゴシエーションでは、フェムトｅＮＢ１１０ｙは、チャネル・リソースのうちの１つでの送信を停止することに合意する。これによって、ＵＥ１２０ｙは、同じチャネルを介してｅＮＢ１１０ｃと通信する場合ほど、フェムト１１０ｙからの干渉を受けなくなるであろう。
【００４７】
このような支配的な干渉シナリオでは、同期システムにおいてさえも、ＵＥと複数のｅＮＢとの間の距離が異なることにより、ＵＥで観察された信号電力の不一致に加えて、ダウンリンク信号のタイミング遅れもまた、ＵＥにおいて観察される。同期システムにおけるｅＮＢは、システムを超えた推定に基づいて同期される。しかしながら、例えば、マクロｅＮＢから５ｋｍの距離にあるＵＥを考慮すると、マクロｅＮＢから受信されたダウンリンク信号の伝搬遅れは、約１６．６７マイクロ秒（５ｋｍ÷３×１０８、すなわち、光速'ｃ’）の遅れとなるであろう。マクロｅＮＢからのダウンリンク信号を、より近いフェムトｅＮＢからのダウンリンク信号と比較すると、タイミング差は、time-to-live（ＴＬＬ）誤差のレベルに近づきうる。
【００４８】
さらに、このタイミング差は、ＵＥにおける干渉除去に悪影響を与えうる。干渉除去はしばしば、サンプル信号の複数のバージョンの組み合わせ間の相互相関特性を用いる。同じ信号の複数のコピーを組み合わせることによって、干渉は、より簡単に識別されうる。なぜなら、信号のおのおののコピーにおける干渉が存在するであろう間、干渉は、同じ場所にあることはないだろうからである。組み合わされた信号の相互相関を用いて、実際の信号部分が判定され、干渉と区別されうる。これによって、干渉が除去されるようになる。
【００４９】
図５は、図１における基地局／ｅＮＢのうちの１つ、およびＵＥのうちの１つでありうる、基地局／ｅＮＢ１１０とＵＥ１２０との設計のブロック図を示す。制約された関連性のシナリオの場合、ｅＮＢ１１０は、図１におけるマクロｅＮＢ１１０ｃでありうる。そして、ＵＥ１２０は、ＵＥ１２０ｙでありうる。ｅＮＢ１１０はさらに、その他いくつかのタイプの基地局でもありうる。ｅＮＢ１１０は、アンテナ５３４ａ乃至５３４ｔを備え、ＵＥ１２０は、アンテナ５５２ａ乃至５５２ｒを備えうる。
【００５０】
ｅＮＢ１１０では、送信プロセッサ５２０が、データ・ソース５１２からデータを、コントローラ／プロセッサ５４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。送信プロセッサ５２０は、データ・シンボルおよび制御シンボルをそれぞれ取得するために、データ情報および制御情報を処理（例えば、符号化およびシンボル・マップ）しうる。送信プロセッサ５２０はさらに、例えばＰＳＳやＳＳＳのための基準シンボルや、セル特有の基準信号を生成しうる。送信（ＴＸ）複数入力複数出力（ＭＩＭＯ）プロセッサ５３０は、適用可能であれば、基準シンボル、制御シンボル、および／または、データ・シンボルに空間処理（例えば、プリコーディング）を実行し、出力シンボル・ストリームを変調器（ＭＯＤ）５３２ａ乃至５３２ｔに提供しうる。おのおのの変調器５３２は、（例えば、ＯＦＤＭ等のために）それぞれの出力シンボル・ストリームを処理して、出力サンプル・ストリームを得る。各変調器５３２はさらに、出力サンプル・ストリームを処理（例えば、アナログ変換、増幅、フィルタ、およびアップコンバート）し、ダウンリンク信号を取得する。変調器５３２ａ乃至５３２ｔからのダウンリンク信号は、アンテナ５３４ａ乃至５３４ｔによってそれぞれ送信されうる。
【００５１】
ＵＥ１２０では、アンテナ５５２ａ乃至５５２ｒが、ｅＮＢ１１０からダウンリンク信号を受信し、受信した信号を、復調器（ＤＥＭＯＤ）５５４ａ乃至５５４ｒへそれぞれ提供しうる。おのおのの復調器５５４は、受信したそれぞれの信号を調整（例えば、フィルタ、増幅、ダウンコンバート、およびデジタル化）して、入力サンプルを取得しうる。おのおのの復調器５５４はさらに、（例えば、ＯＦＤＭ等のため）これら入力サンプルを処理して、受信されたシンボルを取得しうる。ＭＩＭＯ検出器５５６は、すべての復調器５５４ａ乃至５５４ｒから受信したシンボルを取得し、適用可能である場合、これら受信されたシンボルに対してＭＩＭＯ検出を実行し、検出されたシンボルを提供しうる。受信プロセッサ５５８は、検出されたシンボルを処理（例えば、復調、デインタリーブ、および復号）し、ＵＥ１２０のために復号されたデータをデータ・シンク５６０に提供し、復号された制御情報をコントローラ／プロセッサ５８０へ提供しうる。
【００５２】
アップリンクでは、ＵＥ１２０において、送信プロセッサ５６４が、データ・ソース５６２から（例えばＰＵＳＣＨのための）データを、コントローラ／プロセッサ５８０から（例えばＰＵＣＣＨのための）制御情報を受信し、これらを処理しうる。送信プロセッサ５６４はさらに、基準信号のための基準シンボルを生成しうる。送信プロセッサ５６４からのシンボルは、適用可能であれば、ＴＸ  ＭＩＭＯプロセッサ５６６によってプリコードされ、さらに、（例えば、ＳＣ−ＦＤＭ等のために）復調器５５４ａ乃至５５４ｒによって処理され、ｅＮＢ１１０へ送信される。ｅＮＢ１１０では、ＵＥ１２０からのアップリンク信号が、アンテナ５３４によって受信され、変調器５３２によって処理され、適用可能な場合にはＭＩＭＯ検出器５３６によって検出され、さらに、受信プロセッサ５３８によって処理されて、ＵＥ１２０によって送信された復号されたデータおよび制御情報が取得される。受信プロセッサ５３８は、復号されたデータをデータ・シンク５３９に提供し、復号された制御情報をコントローラ／プロセッサ５４０へ提供しうる。
【００５３】
コントローラ／プロセッサ５４０，５８０は、ｅＮＢ１１０およびＵＥ１２０それぞれにおける動作を指示しうる。ｅＮＢ１１０におけるプロセッサ５４０および／またはその他のプロセッサおよびモジュールは、ここで説明された技術のためのさまざまな処理の実行または指示を行いうる。ＵＥ１２０におけるプロセッサ５８０および／またはその他のプロセッサおよびモジュールは、図４および図５に例示された機能ブロック、および／または、本明細書に記載された技術のためのその他の処理の実行または指示を行いうる。メモリ５４２，５８２は、ｅＮＢ１１０およびＵＥ１２０それぞれのためのデータおよびプログラム・コードを格納しうる。スケジューラ５４４は、ダウンリンクおよび／またはアップリンクでのデータ送信のためにＵＥをスケジュールしうる。
【００５４】
近年、ユーザは、固定線通信をモバイル通信に代え、高い音声品質、信頼できるサービス、および低価格に対し、多大な要求をし始めている。高品質モバイル通信に関連付けられた１つの問題は、多元接続システムにおけるベスト・エフォート・トラフィックを改善するタスクである。多元接続は、増大されたネットワーク負荷を可能にするが、干渉も増加させうるので、無線通信の品質を低下させる。したがって、無線システム設計者にとって、近年、改善された干渉緩和の優先度が高まってきた。干渉緩和のための１つの一般的なメカニズムは、計画された配置である。ここでは、大きなマクロ基地局が、最小のセル間干渉しか引き起こさないように、このような他の基地局から十分な距離を置いて配置される。計画された配置において、干渉を緩和するための他の技術は、ビームシェーピング、送信電力管理等を含む。
【００５５】
上記に加え、前述したフェムト・セルは、ユーザの住居に搭載され、既存のブロードバンド・インターネット接続を用いて、モバイル・ユニットに屋内無線有効通信範囲を提供する。このような個人の小規模な基地局は、一般に、フェムト・セルとしてのみならず、アクセス・ポイント基地局、ホーム・ノードＢ（ＨＮＢ）等としても知られている。一般に、このような小規模の基地局は、ＤＳＬルータあるいはケーブル・モデムによって、インターネットおよびモバイル・オペレータのネットワークに接続される。これら個人の基地局は、ネットワーク・プロバイダではなく個人のシステム・ユーザによって配置されるので、これらの基地局の位置は計画されておらず、計画された配置に基づく干渉緩和メカニズムを妨げうる。例えば、フェムト・セルに非常に近いマクロ基地局は、フェムト・セルに対して非常に高い干渉を引き起こしうる。
【００５６】
図６は、ネットワーク環境内のアクセス・ポイント基地局の配置を可能にする典型的な通信システムを例示する。図６に示すように、システム６００は、例えばＨＮＢ６１０のように、複数のアクセス・ポイント基地局ＨＮＢまたはフェムト・セルを含むこれらおのおのは、例えば１または複数のユーザ住居６３０のように、対応する小規模スケールのネットワーク環境に搭載されており、関連付けられたＵＥ６２０のみならず、外部のＵＥ６２０にもサービス提供するように構成されている。おのおののＨＮＢ６１０はさらに、例えば、（図示しない）ＤＳＬルータや、（図示しない）ケーブル・モデム等のようなネットワーク・インタフェースを介して、インターネット６４０およびモバイル・オペレータ・コア・ネットワーク６５０に接続される。
【００５７】
本明細書に記載された態様は、３ＧＰＰ用語を使用しているが、これら態様は、３ＧＰＰ（リリース９９、リリース５、リリース６、リリース７）技術のみならず、３ＧＰＰ２（１×ＲＴＴ、１×ＥＶ−ＤＯ  リリース０、改訂Ａ、改訂Ｂ）技術、およびその他の周知ならびに関連する技術にも適用されることが理解されるべきである。本明細書に記載されたこのような態様では、ＨＮＢ６１０の所有者は、モバイル・オペレータ・コア・ネットワーク６５０によって提供された、例えば３Ｇモバイル・サービスのようなモバイル・サービスに加入し、ＵＥ６２０は、マクロ・セルラ環境と、住居小規模ネットワーク環境との両方において動作することが可能である。したがって、ＨＮＢ６１０は、既存の任意のＵＥ６２０との後方互換性を持つ。
【００５８】
さらに、ＵＥ６２０は、マクロ基地局６６０に加えて、予め定められた数のＨＮＢ６１０、すなわち、ユーザ住居６３０内に存在するＨＮＢ６１０によってのみサービス提供されうる。そして、モバイル・オペレータ・コア・ネットワーク６５０とのソフト・ハンドオーバ状態にはなりえない。ＵＥ６２０は、モバイル・コア・ネットワーク６５０のマクロ基地局６６０かＨＮＢ６１０かの何れかと通信しうるが、両方同時には通信しない。ＵＥ６２０がＨＮＢ６１０と通信することを許可される限り、ユーザの住居内では、ＵＥ６２０が、関連付けられたＨＮＢ６１０と通信することが望まれる。
【００５９】
図７は、主題とする開示の特定の態様にしたがう干渉除去装置７００の例のブロック図を図示する。特に、干渉除去装置７００は、アップリンク干渉除去を決定するように構成されており、無線ネットワークの基地局と連携して配置されうる。あるいは、干渉除去装置７００は、計画されていないネットワーク配置に関連付けられた基地局からの干渉を受信する、計画されたネットワーク配置のためのアップリンク干渉除去を決定するように構成されうる。計画されたネットワーク配置と混合された１または複数のフェムト・セルを備えるヘテロジニアスなネットワークは、後者の適切な例でありえる。したがって、１つの態様では、干渉除去装置７００は、それぞれの近隣セルのアップリンク送信に基づいて、それぞれのセルのために干渉除去を提供するために、中央コントローラ（例えば、ラジオ・ネットワーク・コントローラ［ＲＮＣ］、基地局コントローラ［ＢＳＣ］等）に実装されうる。別の態様では、干渉除去装置７００は、サービス提供セルの近隣にあるセル（近隣セル）またはサービス提供セルと干渉しているセル（干渉元セル）のアップリンク送信の結果、個々の基地局を備えるサービス提供セルのためのアップリンク干渉除去を提供するために、個々の基地局とともに配置されうる（例えば、図８参照）。しかしながら、少なくとも１つの態様では、干渉除去装置７００は、近隣セルのダウンリンク送信に基づいてダウンリンク干渉除去を提供するように構成され、（例えば、図９に示すように）ＵＥと連携して、または、リピータや無線リレー等と連携して実装されうる。
【００６０】
干渉除去装置７００は、１または複数の無線トランシーバ７０２を備えうる。無線トランシーバ（単数または複数）７０２は、無線ネットワークのうちの１または複数のセルのためのアップリンク送信を受信するように構成されうる。特に、無線トランシーバ（単数または複数）７０２は、無線ネットワークのサービス提供セルのみならず、無線ネットワークの１または複数の近隣セルまたは干渉元セルにおけるアップリンク送信を取得するように構成されうる。アップリンク送信は、メモリ７０６に格納されうるか、または、干渉除去装置７００の他の構成要素またはモジュールに提供されうる。
【００６１】
前述に加えて、干渉除去装置７００は、サービス提供セルのためにブラインド干渉除去を提供するように構成されたモジュールを格納するメモリ７０６と、それぞれのモジュールを実行するためのデータ・プロセッサ７０４とを備えうる。ブラインド干渉除去の場合、干渉除去装置７００は、近隣セルまたは干渉元セルからの情報のための基地局間通信の利益を得ない。ヘテロジニアスなネットワークは、例えば図６に図示するように、ブラインド干渉除去に至る問題の実例となりうる。特に、フェムト基地局（例えば、ＨＮＢ６１０）は、計画されたモバイル・オペレータ・コア・ネットワーク６５０の周囲のマクロ基地局（例えば、図６のマクロ基地局６６０）と通信するためのメカニズムを装備していないことがありうる。したがって、フェムト基地局によってサービス提供される端末のためのアップリンク・スケジューリングが、周囲のマクロ基地局に提供されない。同様に、マクロ基地局とフェムト基地局との間のセル間通信の欠如により、マクロ基地局によってサービス提供される端末のためのアップリンク・スケジューリングが、フェムト基地局にアクセス可能ではないことがある。したがって、アップリンク・チャネル毎の端末スケジューリングの明示的な共有を必要とする従来の干渉除去は困難または不可能である。この問題に取り組むために、干渉除去装置７００は、端末スケジューリングの明示的な共有を必要としないブラインド干渉除去を提供しうる。むしろ、干渉除去装置７００は、干渉元のセルの干渉除去を実行するために十分な情報を推定または導出するように構成される。これは、以下により詳細に記載される。
【００６２】
干渉除去装置７００は、近隣セルのブロードキャスト送信から、無線ネットワークの近隣セルのための、例えば、マスタ情報ブロック（ＭＩＢ）、システム情報ブロック（ＳＩＢ）等のようなアップリンク・リソース情報を抽出する分析モジュール７０８を備えうる。ブロードキャスト送信は、いくつかの態様では、無線トランシーバ（単数または複数）７０２によって獲得されうる。別の態様では、ブロードキャスト送信に含まれた半固定の制御情報が、近隣セルにおいて動作しているＵＥによって中継されうる。後者の場合、分析モジュール７０８は、（半固定の制御情報を含む信号を送信した１または複数のＵＥを備える）無線トランシーバ（単数または複数）７０２によって取得されたアップリンク送信から、アップリンク・リソース情報を抽出しうる。別の例では、制限されたあるセル間共有が、例えば、オペレータのコア・ネットワークを介して、あるいは、インターネット・ゲートウェイ等を介して、近隣セルとサービス提供セルとの間に存在しうる。
【００６３】
上記に加えて、干渉除去装置７００は、近隣セルのアップリンク送信における全体干渉除去を実行し、全体干渉除去からＵＥ特有の近隣信号を抽出する、解析モジュール７１０を備えうる。特定の例として、全体干渉除去は、近隣セルの全体のアップリンク送信に基づく干渉除去を備えうる。言い換えれば、近隣セルのそれぞれのＵＥのための干渉除去ではなく、セル全体（または、無線トランシーバ（単数または複数）７０２によって受信されたアップリンク送信に含まれる近隣セル送信のフラクションに依存するセル部分）のアップリンク干渉除去である。セル・ワイドの干渉除去が近隣セルに対して実行されると、近隣セル内の特定のＵＥの個々のアップリンク信号が識別されうる。これら個々のアップリンク信号は、解析モジュール７１０によって抽出されたＵＥ特有の近隣信号を備えうる。
【００６４】
さらに、干渉除去装置７００は、アップリンク・リソース情報とＵＥ特有の近隣信号から、近隣セルのためのアップリンク制御チャネル・スケジュールを導出するリソース・モジュール７１２を備えうる。ここで、アップリンク制御チャネル・スケジュールは、サービス提供セルのための干渉除去を容易にする。特に、この干渉除去は、従来の干渉除去アルゴリズムによって必要とされるような、近隣セルによって提供された明示的なアップリンク制御チャネル・スケジューリングを必要としないという点においてブラインドである、ことが認識されるべきである。そうではなく、アップリンク制御チャネル・スケジュールは、近隣セルのアップリンク送信を測定することから導出される。したがって、干渉除去装置７００は、制限されたセル間通信しか持たない基地局を備えたヘテロジニアスなネットワークのためにさえ、アップリンク干渉除去を提供しうる。
【００６５】
主題とする開示の特定の態様によれば、アップリンク制御チャネル・スケジュールは、近隣セルの個々のＵＥの、異なるアップリンク・リソースへのスケジューリングを備えうる。スケジューリングは、さまざまな態様において、制限された持続時間（例えば、１つの時間フレーム、複数の時間フレーム、１つのサブフレーム等）、または固定された持続時間でありうる。いずれの場合も、解析モジュール７１０が、ＵＥ特有の近隣信号を抽出するために、分析アルゴリズムのセットのうちの１つを適用しうる。１つの態様では、これら分析アルゴリズムの選択は、アップリンク送信が関連付けられているチャネルのタイプに依存しうる。アップリンク・アクノレッジメント（ＡＣＫ）チャネルの場合、解析モジュール７１０は、これらアルゴリズムの第１のセットを適用する一方、アップリンク・チャネル品質インジケータ（ＣＱＩ）チャネルまたはＡＣＫ／ＣＱＩ混合アップリンク・チャネルの場合、解析モジュール７１０は、アルゴリズムの別のセットを適用しうる。これは、異なるアップリンク制御チャネルのために、微調整された信号分析を可能にする。
【００６６】
１つの特別の態様では、解析モジュール７１０は、ＵＥ特有の近隣信号を抽出するために、２ラウンドの分析アルゴリズムを使用する。この態様において、分析アルゴリズムの第１ラウンドは、制御チャネルのタイプに依存する。一方、分析アルゴリズムの第２ラウンドは、異なる制御チャネル・タイプに対して固定である。さらに詳しくは、信号分析の第１ラウンドは、ＡＣＫチャネルのために３状態復号を、または、ＣＱＩチャネルまたはＡＣＫ／ＣＱＩ混合チャネルのために信号対雑音比（ＳＮＲ）を適用しうる。信号分析の第２ラウンドの場合、解析モジュール７１０は、信号分析の第１ラウンドから導出されたＵＥ特有の信号情報に第２のアルゴリズムを適用しうる。具体的には、ＵＥ特有の各信号の残留信号を取得するために、再構築受信信号が、（例えば、図８に示すような無線受信機に接続された、図示しない高速フーリエ変換モジュールから出力された）実際の受信信号から引き去られうる。これら再構築信号は、ＳＮＲアルゴリズムを提供するアルゴリズムによって適用されたＳＮＲ分析の結果に基づきうる。一例として、再構築信号は、受信信号のログ尤度比に基づいてデマッピング・アルゴリズムから導出されたシンボル推定値でありうる。このデマップされたシンボル推定値は、上述したように、受信信号を推定するため、および、再構築受信信号を生成するために、再マップ（例えば、再符号化）されうる。
【００６７】
この開示の目的のために、ＳＮＲは、信号と干渉と雑音との間の関係の測定値を表し、ＳＮＲ測定値、ＳＩＮＲ測定値等を含みうることが注目されるべきである。
【００６８】
１または複数のＵＥの特定の信号が、近隣セルのアップリンク送信から抽出されると、リソース・モジュール７１２は、分析モジュール７０８によって取得された各個別のアップリンク・リソースに、これら特定の信号をマップしうる。このマッピングにより、近隣セルのアップリンク・リソース・スケジューリングが得られる。このアップリンク・リソース・スケジューリングは、近隣セルによって提供された明示的なリソース・スケジューリングとは逆に、アップリンク信号測定値から導出された、推定されたスケジューリングである。したがって、制限された、すなわち、ダイレクトではない通信が、サービス提供セルと近隣セルとの間に存在する場合であっても、推定スケジューリングが実施されうる。アップリンク・リソース・スケジューリングは、取得されると、特定のアップリンク・リソースにおける特定の信号のためのアップリンク干渉除去を提供するために適用され、干渉が著しく低減され、サービス提供セル内での無線通信が改善される。
【００６９】
図８は、主題とする開示の特定の態様にしたがう基地局８０２を備えたシステム８００の例のブロック図を例示する。基地局８０２は、無線通信において、改善された干渉除去を提供するように構成されうる。特に、基地局８０２は、干渉元のセルのアップリンク送信の測定値に基づいて、ブラインド干渉除去を提供するように構成されうる。したがって、基地局８０２は、計画されていないヘテロジニアスなネットワークのためでさえも、著しく改善された無線通信を提供しうる。
【００７０】
基地局８０２は、１または複数の受信アンテナ８０６を介してＵＥ（単数または複数）８０４から無線信号を取得する受信機８１０と、変調器８２４によって提供された符号化／変調された無線信号を送信アンテナ（単数または複数）８０８を介してＵＥ（単数または複数）８０４へ送信する送信機８２６と、を備えうる。受信アンテナ（単数または複数）８０６と送信アンテナ（単数または複数）８０８とは、受信機８１０および送信機８２６とともに、本明細書に記載されたように、主題となる開示のさまざまな態様を実施するために、無線トランシーバのセットを備えうる。ＵＥ（単数または複数）８０４のうちの少なくともサブセットは、無線ネットワークの干渉元のセル内にあり、基地局８０２のアップリンク干渉をもたらしていることが認識されるべきである。
【００７１】
受信機８１０は、受信アンテナ８０６から情報を取得し、さらに、ＵＥ（単数または複数）８０４によって送信されたアップリンク・データを受信する信号受信部（図示せず）を備えうる。さらに、受信機８１０は、受信した情報を復調する復調器８１２と動作可能に関連付けられうる。復調されたシンボルは、データ・プロセッサ８１４によって分析される。データ・プロセッサ８１４は、基地局８０２によって提供または実施される機能に関連する情報を格納するメモリ８１６に接続されている。
【００７２】
上記のものに加え、基地局８０２は、干渉除去装置８２２を備えうる。干渉除去装置８２２は、主題となる開示のうちの少なくともいくつかの態様において、干渉除去装置７００に実質的に類似しうる。しかしながら、主題となる開示および添付の特許請求の範囲は、具体的な文言の文脈によって要求される場合を除いて、これに限定されないことが認識されるべきである。特に、干渉除去装置８２２は、アップリンク送信の解析と、個々の送信の識別と、アップリンク送信がなされているチャネルのタイプの決定とを行うために、メモリ８１６に格納された１または複数の分析アルゴリズム８１８、８２０を適用しうる。本明細書に記載されているように、アップリンク・リソース・スケジュールを提供するために、干渉元のセルまたは干渉元のＵＥ（単数または複数）８０４のための送信特有の干渉除去について、個々のアップリンク送信の検証が実行されうる。
【００７３】
図９は、本開示の態様にしたがって無線通信のために構成されたＵＥ９０２を備えるシステム９００の例のブロック図を図示する。ＵＥ９０２は、無線ネットワークの１または複数の基地局９０４と無線通信するように構成されうる。このような構成に基づいて、ＵＥ９０２は、１または複数の順方向リンク・チャネルで１または複数の基地局９０４から無線信号を受信し、１または複数の逆方向リンク・チャネルで無線信号に応答しうる。さらに、ＵＥ９０２は、１または複数の近隣基地局または干渉元の基地局（図示せず）のダウンリンク送信のためのダウンリンク干渉除去を実施するためにメモリ９１４に格納された命令群を備えうる。
【００７４】
ＵＥ９０２は、信号を受信する少なくとも１つのアンテナ９０６（例えば、１または複数の入力／出力インタフェースを備える）と、受信機（単数または複数）９０８とを含む。受信機は、受信した信号に対して一般的な動作（例えば、フィルタ、増幅、ダウンコンバート等）を実行する。一般に、アンテナ９０６および送信機９２２（集合的にトランシーバと称される）は、基地局（単数または複数）９０４との無線データ交換を容易にするように構成されうる。
【００７５】
アンテナ９０６および受信機（単数または複数）９０８はまた、復調器９１０に接続されている。この復調器は、受信したシンボルを復調し、このような信号を、評価のために、データ・プロセッサ（単数または複数）９１２へ提供しうる。データ・プロセッサ（単数または複数）９１２は、ＵＥ９０２の１または複数の構成要素（アンテナ９０６、受信機９０８、復調器９１０、メモリ９１４、干渉除去装置９１８、変調器９２０、送信機９２２）を制御かつ／または参照しうることが認識されるべきである。さらに、データ・プロセッサ（単数または複数）９１２は、１または複数のモジュール、アプリケーション、エンジン、あるいは、ＵＥ９０２の機能を実行することに関連する情報または制御を備えるその他のものを実行しうる。
【００７６】
さらに、ＵＥ９０２のメモリ９１４は、データ・プロセッサ（単数または複数）９１２に動作可能に接続される。メモリ９１４は、送信、受信等されるべきデータと、遠隔デバイス（例えば、基地局９０４）との無線通信を実行するのに適切な命令群とを格納しうる。具体的には、メモリ９１４は、近隣基地局またはあるいは干渉元の基地局のダウンリンク送信の信号の分析を提供するように構成された１または複数のアルゴリズム９１６を格納しうる。これらのダウンリンク送信に基づいて、ＵＥ９０２は、ダウンリンク送信を分析し、ＵＥ９０２によって受信された信号のためのダウンリンク干渉除去を提供する、干渉除去装置９１８を適用しうる。主題とする開示の１つの態様では、干渉除去装置９１８は、ダウリンク干渉除去を提供するために、ダウンリンク送信、ダウンリンク・スケジューリング情報、または基地局特有の送信等、あるいは、これらの組み合わせを利用することを除いて、干渉除去装置７００と実質的に同じ方式で動作しうる。
【００７７】
前述のシステムまたは装置は、いくつかの構成要素、モジュール、および／または、通信インタフェース間の相互作用に関して記載された。このようなシステムおよび構成要素／モジュール／インタフェースは、ここで指定されたような構成要素／モジュールまたはサブ・モジュール、指定された構成要素／モジュールまたはサブ・モジュールのうちのいくつか、および／または、追加のモジュール、を含みうることが認識されるべきである。例えば、システムは、ＵＥ９０２と基地局８０２、または、これら装置またはその他の装置の別の組み合わせを含みうる。サブ・モジュールはまた、親モジュール内に含まれたものとは別のモジュールに通信可能に接続されたモジュールとしても実現されうる。さらに、１または複数のモジュールは、収集機能を提供する単一のモジュールに結合されうることが注目されるべきである。例えば、アップリンク・リソース情報を抽出することと、アップリンク制御チャネル・スケジュールを導出することとを、単一の構成要素によって容易にするために、逆に分析モジュール７０８が、リソース・モジュール７１２を含みうる。これら構成要素はまた、本明細書に明示的に記載されていないが、当業者によって知られている１または複数のその他の構成要素とともにインタラクトしうる。
【００７８】
さらに、認識されるように、上記開示されたシステムおよび以下に開示される方法のさまざまな部分は、人工知能または知識あるいはルール・ベースの構成要素、サブ構成要素、プロセッサ、手段、方法、またはメカニズム（例えば、サポート・ベクトル・マシン、ニューラル・ネットワーク、エキスパート・システム、ベイエジアン・ビリーフ・ネットワーク、ファジー・ロジック、データ融合エンジン、クラシファイヤ等）を含むか、これらから構成される。とりわけ、このような構成要素は、すでに説明したものに加えて、これらシステムおよび方法の一部を、より適応性高くのみならず、効率的および知的に行うために、実行されるあるメカニズムまたは処理を自動化しうる。
【００７９】
図１０に移って、本開示の態様にしたがって構成され、ＵＥ１０１１−１０１８との通信を可能にする、ヘテロジニアスな通信ネットワーク１０００を例示するブロック図が図示される。ヘテロジニアスな通信ネットワーク１０００の例示された部分は、マクロ基地局１００４−１００６それぞれによってサービス提供されるセル１００１−１００３を含む。マクロ基地局１００４−１００６は、サービス提供リソース、干渉除去等を調整するために、互いに通信しうる。ヘテロジニアスなネットワークは、同期的であり、ネットワーク全体について、同じサイクリック・プレフィクス長さを有する。無計画なフェムト・セル配置はまた、ヘテロジニアスな通信ネットワーク１０００のネットワーク・サービス・プロバイダによって計画された配置であるマクロ基地局１００４−１００６とともに、例えば、フェムト有効通信範囲エリア１００７−１００８を定義するフェムト・セル１００９−１０１０のようなヘテロジニアスな通信ネットワーク１０００に対する加入者にサービス提供する。フェムト・セル１００９−１０１０を介して接続されるモバイル・デバイスは、フェムト・セル１００９−１０１０によって確立されたインターネット接続を介して、ヘテロジニアスな通信ネットワーク１０００への通信アクセスを取得する。フェムト・セル１００９−１０１０は、マクロ基地局１００４−１００６の何れとも通信することができないので、従来の干渉除去または調整された動作を提供するための、システムまたはトラフィックの情報をマクロ基地局１００４−１００６からダイレクトに取得することができない。しかしながら、フェムト・セル１００９−１０１０は、近隣セルにおいて通信しているさまざまなＵＥによって送信される干渉信号の干渉除去をブラインドに実行するために、本開示の１つの態様にしたがって構成される。
【００８０】
例えば、フェムト・セル１０１０は、ＵＥ  １０１８と通信している。
【００８１】
しかしながら、フェムト・セル１０１０によって受信されるように、マクロ基地局１００６と通信しているＵＥ１０１７からの強いアップリンク信号が、ＵＥ１０１８からのアップリンク信号と、相当量の干渉を引き起こす。フェムト・セル１０１０は、ＵＥ１０１８からのアップリンク信号と、ＵＥ１０１７からのアップリンク信号との両方を含む信号を受信する。フェムト・セル１０１０は、これらを区別することができず、実際、干渉が１つのＵＥから到来しているのか、それ以上のＵＥから到来しているのかさえもわからない。フェムト・セル１０１０は、マクロ基地局１００６に気付いており、このセル識別子（ＩＤ）および他の近隣セルのセル識別子（ＩＤ）のすべてを知っている。しかしながら、フェムト・セル１０１０は、スケジューリング情報を含む、干渉を引き起こしているＵＥ１０１７に関するダイレクトな情報を持っておらず、確かに、従来の干渉除去を実行するための十分な情報を持たない。
【００８２】
フェムト・セル１０１０は、マクロ基地局１００６に関する既知の情報を用いて、マクロ基地局１００６から一定の半固定の情報を受信して復号しうる。半固定の情報は、例えば図４に例示されるサブフレーム０，７のように、非動的に割り当てられたサブフレームを含みうる。この記載された例の目的のために、フェムト・セル１０１０は、マクロ基地局１００６によってブロードキャストされたＳＩＢ２から、コンピュータ生成シーケンス（ＣＧＳ）ホッピング設定、ＰＵＣＣＨ  ＣＱＩリソース・ブロック領域、ＰＵＣＣＨ  ＡＣＫ／ＣＱＩ混合リソース・ブロック領域、ＰＵＣＣＨ  ＡＣＫリソース・ブロックにおけるユーザの最大数、サウンディング基準信号（ＳＲＳ）設定等を含むさまざまなパラメータを読み取る。以下にさらに詳しく説明されるように、フェムト・セル１０１０は、セル１００３からのＰＵＣＣＨチャネルをブラインドに検出するため、および、ＵＥ１０１７からの強い干渉信号の除去を実行するために、この半固定の情報を用いる。
【００８３】
除去を実行するかを判定する際に、フェムト・セル１０１０は、セル１００３におけるアップリンク送信をサンプルし、これらサンプルを用いて、セル１００３の全体的な雑音レベルを測定する。雑音レベルが比較的低い場合、これは一般に、セル１００３が強いセルであることを示す。これは、フェムト・セル１０１０に対してブラインド干渉除去処理を開始するようにトリガするであろう。一方、雑音レベルが比較的高い場合、これは一般に、セル１００３が弱いセルであることを示す。これは、除去を必要としない場合がある。セル１００３においてサンプルされたアップリンク信号の雑音レベルが、ブラインド干渉除去をトリガする場合、フェムト・セル１０１０は、セル１００３においてＰＵＣＣＨチャネルをブラインドに検出することを試みるであろう。
【００８４】
フェムト・セル１０１０は、受信信号に対する不連続送信（ＤＴＸ）検出を実行することによって、第１のフェーズにおけるブラインド検出処理を開始する。ＵＥ１０１７を含むＵＥは一般に、あるリソース・ブロックのＰＵＣＣＨチャネルのうち、少なくとも３つのタイプのチャネルで送信することが可能である。ＵＥは、ＡＣＫチャネルのみ、ＣＱＩチャネルのみ、またはＡＣＫ／ＣＱＩ混合チャネルを送信しうる。ＡＣＫチャネルおよびＣＱＩチャネルを復号するために、異なるセットの情報が使用されるので、この第１のＤＴＸ検出フェーズは、ＡＣＫチャネルを復号するための１つの方法と、ＣＱＩチャネルを復号または推定するための別の方法とを用いる。
【００８５】
フェムト・セル１０１０によってなされる第１の仮定は、マクロ基地局１００６によってサービス提供されているセル１００３が、最大数のＵＥにサービス提供していることである。なぜなら、フェムト・セル１０１０は、受信信号における他のＵＥからの信号を区別できないからである。この最大数は、マクロ基地局１００６から読み取られた半固定の情報に基づいて、ＡＣＫチャネルとＣＱＩチャネルとのおのおのについて知られている。セル１００３は、（ＬＴＥ／−Ａネットワークとして構成されている場合）ヘテロジニアスな通信ネットワーク１０００のネットワーク設定に依存して、１２，１８または３６である最大数のＡＣＫユーザ（ＰＵＣＣＨチャネルでＡＣＫチャネルを送信しているＵＥ）に対してサービス提供しうる。セル１００３はまた、１２である最大数のＣＱＩユーザ（ＰＵＣＣＨチャネルでＣＱＩチャネルを送信しているＵＥ）に対してサービス提供しうる。したがって、仮定されるＡＣＫユーザと、仮定されるＣＱＩユーザとの両方である、仮定される最大数のユーザのおのおののために、フェムト・セル１０１０は、ＡＣＫチャネルおよびＣＱＩチャネルを復号または推定する。
【００８６】
フェムト・セル１０１０はさらに、ＡＣＫチャネルとＣＱＩチャネルとの両方のために、特定のペイロード・サイズを仮定するだろう。例えば、ヘテロジニアスな通信ネットワーク１０００がＬＴＥ／−Ａネットワークとして構成される本開示の態様では、フェムト・セル１０１０は、ＰＵＣＣＨ  ＡＣＫチャネルが、２ビットのＡＣＫペイロード・サイズを提供する、フォーマット１ｂ  ＡＣＫチャネルであると仮定するだろう。本開示のさまざまな態様とともに動作可能なその他の利用可能なフォーマットは、少なくとも、２ビットのサブセットである、１ビットのペイロード・サイズを提供するであろう。したがって、２ビットの仮定は合理的であろう。同様に、フェムト・セル１０１０は、ＰＵＣＣＨ  ＣＱＩチャネルがフォーマット２ｂ  ＣＱＩチャネルであると仮定するだろう。本開示のさまざまな態様との互換性を持つさらなるＡＣＫフォーマットでよくあるように、その他の互換ＣＱＩフォーマットは、フォーマット２ｂ  ＣＱＩチャネルのサブセットである。
【００８７】
ＬＴＥネットワークのために提供されている他のフォーマットの定義は、前述したように、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されていることが注目されるべきである。
【００８８】
ＡＣＫチャネルの信号は、前述された仮定に加えて、フェムト・セル１０１０によって既に知られている半固定の情報を用いて復号されうる。したがって、フェムト・セル１０１０は、仮定された最大数のＡＣＫユーザのおのおのについてＡＣＫチャネルを復号するために、３状態復号処理において、この情報および仮定を使用するであろう。フェムト・セル１０１０が復号することができる仮定されたＡＣＫユーザのために、フェムト・セル１０１は、さらなる処理のために、これらＡＣＫユーザを指定するであろう。対照的に、フェムト・セル１０１０が、仮定されたＡＣＫユーザのための信号を復号できない場合、仮定された特定のＡＣＫユーザは、仮定されたＡＣＫユーザが存在しないか、または、少なくとも何ら干渉を引き起こさないという結論の下、無視されるだろう。
【００８９】
ＣＱＩチャネルの信号は、例えば、特定のスクランブリング符号、ラジオ・ネットワーク・テンポラリ識別子（ＲＮＴＩ）等のような追加情報を用いて復号される。これら情報は、半固定の情報には含まれず、したがって、フェムト・セル１０１０には知られていない。したがって、フェムト・セル１０１０は、この第１のＤＴＸ処理フェーズにおいて、ＣＱＩチャネルを復号しないことがある。フェムト・セル１０１０は、ＣＱＩ情報のみならず、第２のパイロット・シンボルにおいて符号化されたＡＣＫ情報をも復号するだろう。例えば、フォーマット２ｂ  ＣＱＩチャネルでは、このＡＣＫチャネルに２ビットがあり、これは、４つの仮説に至る。おのおのの仮説について、おのおののＣＱＩシンボルのログ尤度比（ＬＬＲ）が計算され、ＬＬＲの絶対値が総和され、最大総和を持つ仮説が、正しい仮説であると考えられる。フェムト・セル１０１０は、仮定される最大数のＣＱＩユーザのおのおのについてＳＮＲを測定し、このＳＮＲを、しきい値と比較する。測定されたＳＮＲは、仮定されたこの特定のＣＱＩユーザのしきい値を満たさない場合、無視されるだろう。しかしながら、測定されたＳＮＲが、しきい値を満足するか超える場合には、仮定されたこの特定のＣＱＩユーザが、さらなる処理のために指定されるだろう。
【００９０】
本開示のさらなる態様は、別の方法を用いてＳＮＲを測定し、比較しうることが注目されるべきである。例えば、１つの方法は、フェムト・セル１０１０のために、ＣＱＩユーザのＳＮＲを測定し、ＳＮＲ／（１＋ＳＮＲ）の推定値を計算することを提供する。フェムト・セル１０１０は、所与のしきい値と比較するために、この推定値を用いるだろう。
【００９１】
受信信号から仮定されたＡＣＫユーザの最大数と、仮定されたＣＱＩユーザの最大数。この復号および推定処理によって、フェムト・セル１０１０は、潜在的な干渉元のユーザでありうる仮定された最大数のＡＣＫユーザおよびＣＱＩユーザのうちのいくつかと、無視されうる仮定された最大数のＡＣＫユーザおよびＣＱＩユーザのうちのいくつかとを識別することができる。これら潜在的な干渉元のＡＣＫユーザおよびＣＱＩユーザのために、信号が、復号された信号および推定された信号を用いて再構築される。これら再構築された信号はその後、第２のＤＴＸ検出フェーズにおいて、フェムト・セル１０１０によって使用される。
【００９２】
フェムト・セル１０１０がＡＣＫユーザとＣＱＩユーザの両方の仮定された最大数について動作を実行する第１のＤＴＸ検出フェーズとは異なり、第２のＤＴＸ検出フェーズでは、フェムト・セル１０１０は、識別された潜在的な干渉元のユーザを用いて動作を実行する。潜在的な干渉元のユーザの残りの再構築された各信号について、再構築された信号が受信信号から減じられることによって、残留信号が生成される。フェムト・セル１０１０は、残留信号の蓄積されたエネルギ・レベルを、受信信号の蓄積されたエネルギ・レベルと比較し、その後、残留信号の蓄積されたエネルギ・レベルと、受信信号の蓄積されたエネルギ・レベルとの間の関係を、残りの潜在的な干渉元のユーザのおのおのについて、しきい値と比較する。残留信号の蓄積されたエネルギ・レベルと、受信信号の蓄積されたエネルギ・レベルとの間の関係が、このしきい値を満足しない場合、この特定の潜在的に干渉するユーザは無視されうる。しかしながら、この関係がしきい値を超える場合、フェムト・セル１０１０は、特定の潜在的に干渉するユーザを、実際の干渉元のＵＥとして識別し、対応する干渉信号の干渉除去を実行する。
【００９３】
図１０に例示された別の例において、ＵＥ１０１１は、フェムト・セル１００９と通信しており、セル１００１−１００３の各々のアップリンク信号からの干渉を受ける。フェムト・セル１０１０に関する前の例では、干渉は別の１つのセルであるセル１００３からしか受けなかった。フェムト・セル１００９に関する本例では、干渉信号が発せられる複数の近隣セルが存在する。ブラインド干渉除去を実行する際には、フェムト・セル１００９は、ＰＵＣＣＨ  ＡＣＫチャネル、ＣＱＩチャネル、またはＡＣＫ／ＣＱＩ混合チャネルのために２つのＤＴＸ検出フェーズを実行することによって、同じ手順を実行する。しかしながら、第１のＤＴＸ検出フェーズを開始する前に、フェムト・セル１００９は、セル１００１−１００３のおのおのを、ブラインド干渉除去を実行するための順にランク付けするだろう。
【００９４】
理論上、フェムト・セル１００９は、干渉元のＵＥのおのおののための除去順序を作成するだろう。しかしながら、干渉元のＵＥの強度は、これら信号が復号または推定され、これら復号／推定された信号のＳＮＲが測定されるまで知られないであろうから、フェムト・セル１００９は、代わりに、近隣セルであるセル１００１−１００３の除去順序を生成する。各近隣セル内では、前述したように、干渉元のＵＥのすべてが、同時に除去されるだろう。除去順序を生成するために、フェムト・セル１００９は、セル１００１−１００３のおのおのの雑音レベルを測定する。その後、セル１００１−１００３のおのおのは、相対的な雑音レベルにしたがって、除去のためにランク付けられるだろう。前述したように、より低い雑音レベルは、より強いセルを示す傾向にあるだろう。これは、より干渉に寄与する可能性が高いだろう。対照的に、セルのより高い雑音レベルは、寄与する干渉が多くない、より弱いセルを示す傾向にあるだろう。したがって、フェムト・セル１００９は、セル１００１−１００３を、除去順にセル１００１−１００３をランク付けるだろう。ここで、最も低い雑音レベルを持つセルが、最初の処理のためにランク付けされ、雑音レベルが高くなる他のセルが続く。
【００９５】
記載された例の場合、フェムト・セル１００９は、セル１００２について最低の雑音レベルを、セル１００１について次に低い雑音レベルを、セル１００３について、これら３つのセルのうち最高の雑音レベルを測定する。セル１００１−１００３がランク付けられると、フェムト・セル１００９は、セル１００２について、２フェーズのＤＴＸ検出処理を開始しうる。その後、ＵＥ１０１４−１０１６からの干渉信号のすべてが除去される。その後、フェムト・セル１００９は、セル１００１−１００３からの干渉信号のすべてが除去されるまで、セル１００１，１００３のために、同じブラインド干渉除去手順を実行する。
【００９６】
本開示のさまざまな態様は、ヘテロジニアスな通信ネットワークにおける実施に限定されないことが注目されるべきである。図１１は、本開示の１つの態様にしたがって構成されたホモジニアスな通信ネットワーク１１００を例示するブロック図である。例示されたホモジニアスな通信ネットワーク１１００の一部は、おのおのがマクロ基地局１１０４−１１０６によってサービス提供されるセル１１０１−１１０３を含む。しかしながら、マクロ基地局１１０４−１１０６は、リソース調整または干渉調整の目的で、互いにダイレクトに通信しない。したがって、マクロ基地局１１０５は、例えば、ＵＥ１１０７，１１０８，１１１３−１１１５のうちの何れについても、詳細なスケジューリング情報を有さない。したがって、ＵＥ１１０７，１１０８、および１１１３−１１１５からのアップリンク通信が、ＵＥ１１１２からのアップリンク通信と干渉しているのであれば、マクロ基地局１１０５は、干渉信号の従来の干渉除去を実行するためには不十分な情報しか有さないであろう。
【００９７】
その代わりに、マクロ基地局１１０５は、干渉信号を、ブラインドに検出し、マクロ基地局１１０４，１１０６からブロードキャストされたシステム・メッセージによって受信した半固定の情報に基づいて除去しうる。マクロ基地局１１０５は、図１０に関して詳細に記載されたような処理を用いてブラインド干渉除去を実行しうる。マクロ基地局１１０５は、マクロ基地局１１０４，１１０５によってブロードキャストされたシステム・メッセージから、半固定の情報を取得する。マクロ基地局１１０５は、その後、セル１１０１，１１０３のおのおのの雑音レベルを測定する。この雑音レベルに基づいて、マクロ基地局１１０５は、干渉除去のためにセル１１０１，１１０３をランク付けする。
【００９８】
例えばセル１１０３のように最も高くランク付けされたセルの第１のＤＴＸ検出フェーズでは、マクロ基地局１１０５が、ＡＣＫチャネル信号を復号し、セル１１０３内の仮定される最大数のＡＣＫユーザおよびＣＱＩユーザのおのおのについてのＣＱＩチャネル信号を推定する。ＡＣＫ信号は復号されうるので、マクロ基地局１１０５は、仮定されたＡＣＫユーザが、ＤＴＸにあるか、または、復号された信号から実際に送信しているのかを判定しうる。ＣＱＩユーザのためのＤＴＸの判定は、若干の追加処理を要する。マクロ基地局１１０５は、推定されたＣＱＩ信号のおのおののＳＮＲを判定し、このＳＮＲをしきい値と比較する。このしきい値を満足するかまたは超える、推定されたＣＱＩユーザ信号と、ＤＴＸで発見されないであろう、復号されたＡＣＫ信号とのすべては、第２のＤＴＸ検出フェーズでさらに処理されるだろう。一方、雑音しきい値を満足しないＤＴＸ  ＡＣＫユーザと推定されたＣＱＩユーザとはいずれも無視される。マクロ基地局１１０５はその後、復号／推定されたＡＣＫチャネルおよびＣＱＩチャネルを用いて信号を再構築する。
【００９９】
第２のＤＴＸ検出フェーズでは、雑音しきい値を満足する、仮定されたＡＣＫチャネルおよびＣＱＩチャネルのみが、さらに処理される。もともと受信された信号から、再構築された信号を引き去ることによって、このように潜在的な干渉元のユーザのおのおのについての残留信号が生成される。マクロ基地局１１０５は、残留信号と、もともとの受信信号との間の蓄積されたエネルギの関係を、別のしきい値と比較する。潜在的な干渉元のユーザのおのおのについてのこのエネルギ関係が、このしきい値を満足しているか、または超えている場合、再構築された信号に関連付けられたＡＣＫユーザまたはＣＱＩユーザは、実際の干渉元のＵＥとして識別される。マクロ基地局１１０５は、その後、これらＵＥから干渉信号を除去しうる。このしきい値を満足しないその他すべての潜在的な干渉元のユーザは、無視されうる。
【０１００】
図１２は、本開示の１つの態様を実施するように実行されるブロックの例を例示する機能ブロック図である。ブロック１２００では、無線ネットワークの少なくとも１つの近隣セルのために、半固定の情報が取得されうる。ブロック１２０１では、近隣セルのおのおのの雑音レベルが推定される。ブロック１２０２では、近隣セルのおのおのにおける何れかの干渉元のＵＥを識別するために、ＤＴＸ検出が実行される。さらに、ブロック１２０３では、近隣セルのおのおのについて、識別された干渉元のＵＥに起因する干渉が除去される。
【０１０１】
図１３は、本開示の１つの態様に従って構成されたＤＴＸ検出処理の第１のフェーズを実施するために実行されるブロックの例を例示する機能ブロック図である。ブロック１３００では、近隣セルからの受信信号におけるＡＣＫ信号が復号される。ブロック１３０１では、ＣＱＩ信号のＬＬＲもまた受信信号から推定される。ブロック１３０２では、セルについて仮定された最大数のＣＱＩユーザのすべてが推定されたかの判定がなされる。同様に、ブロック１３０３では、セルについて仮定された最大数のＡＣＫユーザのすべてが復号されたかが判定される。どちらの判定も真ではない場合、ＣＱＩユーザに対しては、処理は、ブロック１３０４において、次に仮定されたＣＱＩユーザに進められ、ＡＣＫユーザに対しては、処理は、ブロック１３０５において、次に仮定されたＡＣＫユーザに進められる。ＡＣＫユーザのすべてが復号された場合、ブロック１３０６では、復号されたＡＣＫユーザがＤＴＸにあるかに関する別の判定がなされる。ＡＣＫユーザがＤＴＸにあると判定された場合、ブロック１３０７において、関連付けられたＡＣＫユーザが無視される。
【０１０２】
ブロック１３０２の判定が、ＣＱＩユーザのすべてが推定されたこのことであれば、ブロック１３０８において、ＣＱＩユーザのおのおのについてＳＮＲが判定される。判定されたＳＮＲは、ブロック１３０９において、しきい値と比較される。ブロック１３１０では、判定されたＳＮＲが特定のしきい値を満足しているかの判定がなされる。満足していないと判定された場合、ブロック１３０７において、しきい値を満足していない、関連付けられた仮定されたＣＱＩユーザが無視される。一方、しきい値が満足されているとブロック１３１０において判定された場合、および／または、復号されたＡＣＫユーザがＤＴＸにないとブロック１３０６で判定された場合、関連付けられた仮定されたＡＣＫ／ＣＱＩユーザは、ブロック１３１１において、さらなる処理のために指定される。ブロック１３１２では、送信された信号は、指定されたこのようなＡＣＫ／ＣＱＩユーザのおのおののために再構築される。
【０１０３】
図１４は、本開示の１つの態様にしたがって構成されたＤＴＸ検出処理の第２のフェーズを実施するために実行されるブロックの例を例示する機能ブロック図である。ブロック１４００では、少なくとも１つの潜在的な干渉元のＵＥの残留信号のエネルギ蓄積と、受信信号のエネルギ蓄積との間の関係が、しきいエネルギ・レベルと比較される。再構築された信号を受信信号から引き去ることによって、残留信号が取得される。ブロック１４０１では、エネルギ蓄積関係が、しきいエネルギ・レベルを満足するかに関する判定がなされる。満足すると判定されなかった場合、ブロック１４０２では、しきい値エネルギ・レベルを満足しない潜在的な干渉元のＵＥのうちの１つが無視される。一方、ブロック１４０３では、しきい値を満足する潜在的な干渉元のＵＥが、干渉元のＵＥであると指定される。このように指定されると、干渉元のＵＥからの干渉信号が除去されうる。
【０１０４】
１つの構成では、無線通信のために構成された基地局８０２またはｅＮＢ１１０は、無線ネットワークの少なくとも１つの近隣セルの半固定の情報を取得する手段と、近隣セルのおのおのの雑音レベルを推定する手段と、少なくとも１つの近隣ＵＥを識別するためのＤＴＸ検出の実行と、干渉元のＵＥに起因する干渉の除去とを、近隣セルのおのおのについて実行可能である手段と、を含む。１つの態様では、前述の手段は、プロセッサ（単数または複数）と、コントローラ／プロセッサ５８０と、メモリ５８２と、受信プロセッサ５５８と、ＭＩＭＯ検出器５５６と、復調器５５４ａと、アンテナ５５２ａまたは受信アンテナ８０６と、受信機８１０と、復調器８１２と、データ・プロセッサ８１４と、メモリ８１６と、前述した手段によって記載された機能を実行するように構成されたトランシーバ７０２、データ・プロセッサ７０４、およびメモリ７０６を含む干渉除去装置８２２とでありうる。別の態様では、前述の手段は、前述の手段によって記述された機能を実行するように構成されたモジュールまたは任意の装置でありうる。
【０１０５】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【０１０６】
図１２−１４における機能ブロックおよびモジュールと、記載された任意のさらなる処理は、プロセッサ、電子デバイス、ハードウェア・デバイス、電子部品、論理回路、メモリ、ソフトウェア・コード、ファームウェア・コード等、またはこれらの任意の組み合わせを備えうる。
【０１０７】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定のアプリケーションおよびシステム全体に課せられている設計制約に依存する。当業者であれば、特定のアプリケーションのおのおのに応じて変化する方式で、上述した機能を実現することができる。しかしながら、この適用判断は、本発明の範囲からの逸脱をもたらすものと解釈されるべきではない。
【０１０８】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。
【０１０９】
汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【０１１０】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【０１１１】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【０１１２】
本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、出願当初の特許請求の範囲に記載された発明を付記する。
［発明１］
無線通信の方法であって、
無線ネットワークの少なくとも１つの近隣セルの半固定の情報を取得することと、
前記少なくとも１つの近隣セルのおのおのにおける雑音レベルを推定することと、
前記少なくとも１つの近隣セルのおのおのについて、
少なくとも１つの干渉元のユーザ機器（ＵＥ）を識別するために不連続送信（ＤＴＸ）検出を実行することと、
前記少なくとも１つの干渉元のＵＥに起因する干渉を除去することと、
を備える方法。
［発明２］
前記少なくとも１つの近隣セルは、複数の近隣セルを備え、前記方法はさらに、
前記複数の近隣セルのうちのおのおののセルを、前記実行することと前記除去することとのための順にランク付けすることを備え、
前記ランク付けすることは、前記複数の近隣セルのおのおのの雑音レベルに基づく、発明１に記載の方法。
［発明３］
前記ＤＴＸを実行することは、第１の処理フェーズと第２の処理フェーズとを備え、
前記第１の処理フェーズは、
前記少なくとも１つの近隣セルにおいて仮定された複数のＵＥのおのおのについて、
前記少なくとも１つの近隣セルから受信した信号におけるアクノレッジメント（ＡＣＫ）信号を復号することと、
前記受信した信号から、チャネル品質インジケータ（ＣＱＩ）信号のログ尤度比（ＬＬＲ：log likelihood ratios）を推定することと、
のうちの少なくとも１つを実行することを備える、発明１に記載の方法。
［発明４］
前記第１の処理フェーズはさらに、
前記少なくとも１つの近隣セルにおけるＣＱＩ信号のおのおのについて、ＣＱＩ信号対雑音比（ＳＮＲ）を決定することと、
前記決定されたＣＱＩ  ＳＮＲを、しきいレベルと比較することと、
を備える、発明３に記載の方法。
［発明５］
前記仮定された複数のＵＥは、前記少なくとも１つの近隣セルによって許可された最大数のＵＥを備え、前記最大数は、前記半固定の情報を用いて取得される、発明３に記載の方法。
［発明６］
前記ＡＣＫ信号を復号することは、予め定められたＡＣＫペイロード・サイズを仮定する、発明３に記載の方法。
［発明７］
前記第１の処理フェーズはさらに、
前記ＣＱＩ信号に関連付けられた、前記決定されたＣＱＩ  ＳＮＲが、前記しきいレベルを満足しない場合と、
前記仮定された複数のＵＥのＤＴＸ  ＵＥがＤＴＸにあることを、前記復号されたＡＣＫ信号が示す場合と、
のうちの１または複数の場合、前記仮定された複数のＵＥのＤＴＸ  ＵＥを無視することを備える、発明４に記載の方法。
［発明８］
前記第１の処理フェーズはさらに、
前記仮定された複数のＵＥのうちの少なくとも１つの潜在的な干渉元のＵＥのＣＱＩ信号の１つに関連付けられた、前記決定されたＣＱＩ  ＳＮＲが、前記しきいレベルを満足する場合と、
前記復号されたＡＣＫ信号が、送信元のＵＥを示す場合と、
のうちの１つの場合、前記仮定された複数のＵＥのうちの少なくとも１つの潜在的な干渉元のＵＥを指定することと、
前記少なくとも１つの潜在的な干渉元のＵＥのおのおのについて送信された信号を再構築することと、
を備える、発明４に記載の方法。
［発明９］
前記第２の処理フェーズは、
前記少なくとも１つの潜在的な干渉元のＵＥの残留信号のエネルギ蓄積と、前記受信した信号のエネルギ蓄積との間の関係を、しきいエネルギ・レベルを比較することと、ここで、前記残留信号は、前記受信した信号から差し引かれた、前記再構築された信号を備える、
前記比較された関係が、前記しきいエネルギ・レベルを満足しない場合、前記少なくとも１つの潜在的な干渉元のＵＥのうちの１つを無視することと、
前記比較された関係が、前記しきいエネルギ・レベルを満足する場合、前記少なくとも１つの潜在的な干渉元のＵＥから、前記少なくとも１つの干渉元のＵＥを指定することと、
を備える、発明４に記載の方法。
［発明１０］
無線通信のために構成された装置であって、
無線ネットワークの少なくとも１つの近隣セルの半固定の情報を取得する手段と、
前記少なくとも１つの近隣セルのおのおのにおける雑音レベルを推定する手段と、
前記少なくとも１つの近隣セルのおのおのについて、
少なくとも１つの干渉元のユーザ機器（ＵＥ）を識別するために不連続送信（ＤＴＸ）検出を実行する手段と、
前記少なくとも１つの干渉元のＵＥに起因する干渉を除去する手段と、
を備える装置。
［発明１１］
前記少なくとも１つの近隣セルは、複数の近隣セルを備え、前記装置はさらに、
前記複数の近隣セルのうちのおのおののセルを、前記実行する手段と前記除去する手段とのための順にランク付けする手段を備え、
前記ランク付けする手段は、前記複数の近隣セルのおのおのの雑音レベルを用いる、発明１０に記載の装置。
［発明１２］
前記ＤＴＸを実行することは、第１の処理フェーズと第２の処理フェーズとを備え、
前記第１の処理フェーズは、
前記少なくとも１つの近隣セルにおいて仮定された複数のＵＥのおのおのについて、
前記少なくとも１つの近隣セルから受信した信号におけるアクノレッジメント（ＡＣＫ）信号を復号する手段と、
前記受信した信号から、チャネル品質インジケータ（ＣＱＩ）信号のログ尤度比（ＬＬＲ：log likelihood ratios）を推定する手段と
のうちの少なくとも１つを実行することを備える、発明１０に記載の装置。
［発明１３］
前記第１の処理フェーズはさらに、
前記少なくとも１つの近隣セルにおけるＣＱＩ信号のおのおのについて、ＣＱＩ信号対雑音比（ＳＮＲ）を決定する手段と、
前記決定されたＣＱＩ  ＳＮＲを、しきいレベルと比較する手段と
を備える、発明１２に記載の装置。
［発明１４］
前記仮定された複数のＵＥは、前記少なくとも１つの近隣セルによって許可された最大数のＵＥを備え、前記最大数は、前記半固定の情報を用いて取得される、発明１２に記載の装置。
［発明１５］
前記ＡＣＫ信号を復号することは、予め定められたＡＣＫペイロード・サイズを仮定する、発明１２に記載の装置。
［発明１６］
無線ネットワークにおける無線通信のためのコンピュータ・プログラム製品であって、
記録されたプログラム・コードを有する非一時的なコンピュータ読取可能な媒体であって、前記プログラム・コードは、
無線ネットワークの少なくとも１つの近隣セルの半固定の情報を取得するためのプログラム・コードと、
前記少なくとも１つの近隣セルのおのおのにおける雑音レベルを推定するためのプログラム・コードと、
少なくとも１つの干渉元のユーザ機器（ＵＥ）を識別するために不連続送信（ＤＴＸ）検出を実行するためのプログラム・コードと、
前記少なくとも１つの干渉元のＵＥに起因する干渉を除去するためのプログラム・コードと、ここで、前記実行するためのプログラム・コードと、前記除去するためのプログラム・コードとは、前記少なくとも１つの近隣セルのおのおのについて実行可能である、
を備える、コンピュータ・プログラム製品。
［発明１７］
前記少なくとも１つの近隣セルは、複数の近隣セルを備え、前記コンピュータ・プログラム製品はさらに、
前記複数の近隣セルのうちのおのおののセルを、前記実行するためのプログラム・コードと前記除去するためプログラム・コードとのための順にランク付けするためのプログラム・コードを備え、前記ランク付けするためのコードは、前記複数の近隣セルのおのおのの雑音レベルを用いる、発明１６に記載のコンピュータ・プログラム製品。
［発明１８］
前記ＤＴＸを実行することは、第１の処理フェーズと第２の処理フェーズとを備え、前記第１の処理フェーズは、
前記少なくとも１つの近隣セルから受信した信号におけるアクノレッジメント（ＡＣＫ）信号を復号するためのプログラム・コードと、
前記受信した信号から、チャネル品質インジケータ（ＣＱＩ）信号のログ尤度比（ＬＬＲ：log likelihood ratios）を推定するためのプログラム・コードと、ここで、前記復号するためのプログラム・コードと、前記推定するためのプログラム・コードとは、前記少なくとも１つの近隣セルにおいて仮定された複数のＵＥのおのおのについて実行可能である、
を備える、発明１６に記載のコンピュータ・プログラム製品。
［発明１９］
前記第１の処理フェーズはさらに、
前記少なくとも１つの近隣セルにおけるＣＱＩ信号のおのおのについて、ＣＱＩ信号対雑音比（ＳＮＲ）を決定するためのプログラム・コードと、
前記決定されたＣＱＩ  ＳＮＲを、しきいレベルと比較するためのプログラム・コードと、
を備える、発明１８に記載のコンピュータ・プログラム製品。
［発明２０］
前記仮定された複数のＵＥは、前記少なくとも１つの近隣セルによって許可された最大数のＵＥを備え、前記最大数は、前記半固定の情報を用いて取得される、発明１８に記載のコンピュータ・プログラム製品。
［発明２１］
前記ＡＣＫ信号を復号するためのプログラム・コードは、予め定められたＡＣＫペイロード・サイズを仮定する、発明１８に記載のコンピュータ・プログラム製品。
［発明２２］
無線通信のために構成された装置であって、
少なくとも１つのプロセッサと、
前記少なくとも１つのプロセッサに接続されたメモリとを備え、
前記少なくとも１つのプロセッサは、
無線ネットワークの少なくとも１つの近隣セルの半固定の情報を取得し、
前記少なくとも１つの近隣セルのおのおのにおける雑音レベルを推定し、
前記少なくとも１つの近隣セルのおのおのについて、
少なくとも１つの干渉元のユーザ機器（ＵＥ）を識別するために不連続送信（ＤＴＸ）検出を実行し、
前記少なくとも１つの干渉元のＵＥに起因する干渉を除去する、
ように構成された、装置。
［発明２３］
前記少なくとも１つの近隣セルは、複数の近隣セルを備え、前記少なくとも１つのプロセッサはさらに、
前記複数の近隣セルのうちのおのおののセルを、前記ＤＴＸ検出と前記干渉の除去のための順にランク付けするように構成され、前記少なくとも１つのプロセッサの構成は、前記複数の近隣セルのおのおのの雑音レベルに基づく、発明２２に記載の装置。
［発明２４］
前記ＤＴＸを実行するための前記少なくとも１つのプロセッサの構成は、第１および第２の処理フェーズを備え、前記第１の処理フェーズは、
前記少なくとも１つの近隣セルにおいて仮定された複数のＵＥのおのおのについて、
前記少なくとも１つのプロセッサが、
前記少なくとも１つの近隣セルから受信した信号におけるアクノレッジメント（ＡＣＫ）信号を復号することと、
前記受信した信号から、チャネル品質インジケータ（ＣＱＩ）信号のログ尤度比（ＬＬＲ：log likelihood ratios）を推定することと、
のうちの１つを実行する構成を備える、発明２２に記載の装置。
［発明２５］
前記第１の処理フェーズはさらに、
前記少なくとも１つの近隣セルにおけるＣＱＩ信号のおのおのについて、ＣＱＩ信号対雑音比（ＳＮＲ）を決定し、
前記決定されたＣＱＩ  ＳＮＲを、しきいレベルと比較する、
ように構成された前記少なくとも１つのプロセッサを備える、発明２４に記載の装置。
［発明２６］
前記仮定された複数のＵＥは、前記少なくとも１つの近隣セルによって許可された最大数のＵＥを備え、前記最大数は、前記半固定の情報を用いて取得される、発明２４に記載の装置。
［発明２７］
前記ＡＣＫ信号を復号する前記少なくとも１つのプロセッサの構成は、予め定められたＡＣＫペイロード・サイズを仮定する、発明２４に記載の装置。
【図１】
0005951809.tif 000002
【図２】
0005951809.tif 000003
【図３】
0005951809.tif 000004
【図４】
0005951809.tif 000005
【図５】
0005951809.tif 000006
【図６】
0005951809.tif 000007
【図７】
0005951809.tif 000008
【図８】
0005951809.tif 000009
【図９】
0005951809.tif 000010
【図１０】
0005951809.tif 000011
【図１１】
0005951809.tif 000012
【図１２】
0005951809.tif 000013
【図１３】
0005951809.tif 000014
【図１４】
0005951809.tif 000015